(57)【要約】【課題】  遊技機の稼働状況の管理に関する遊技場の管理負担を軽減するとともに、遊技機の稼働率低下の原因となる行為に対して迅速な対応ができるようにすることである。【解決手段】  稼働情報に基づく各パチンコ遊技機における稼働の有無（Ｓ５１）、および、パチンコ遊技機ごとに個別に設定された監視領域の画像の変化により特定される滞留者の有無（Ｓ５５）に基づいて、非稼働滞留状態の遊技機があるか否かを判定し（Ｓ５６）、非稼働滞留状態の遊技機があると判定されたときには、当該判定がされたパチンコ遊技機がある旨を報知する。【選択図】        図１０
2005224363.tif 000002
【特許請求の範囲】
【請求項１】
複数の遊技機が設けられた遊技場の管理を行なう遊技場管理システムであって、
前記遊技場内で前記複数の遊技機を含む予め定められた領域を撮像する撮像手段と、
該撮像手段による撮像領域内で遊技機ごとに個別に監視領域を設定する監視領域設定手段と、
前記複数の遊技機のそれぞれの稼働状況を示す稼働情報の入力を受ける稼働情報入力手段と、
該稼働情報入力手段から入力された前記稼働情報に基づいて、各遊技機における稼働の有無を特定する稼働有無特定手段と、
前記撮像手段により撮像された画像における前記監視領域設定手段により設定された各監視領域の画像の変化により、各監視領域で滞留している滞留者の有無を特定する滞留者有無特定手段と、
稼働有無特定手段により特定された前記稼働の有無、および、前記滞留者有無特定手段により特定された前記滞留者の有無に基づいて、稼働無しでかつ滞留者有りとなっている非稼働滞留状態の遊技機があるか否かを判定する状態判定手段と、
該状態判定手段により前記非稼働滞留状態の遊技機があると判定されたときに、当該判定がされた遊技機がある旨を報知する報知手段とを含むことを特徴とする、遊技場管理システム。
【請求項２】
前記監視領域設定手段により設定された各監視領域を拡大して撮像する拡大撮像手段と、
前記監視領域設定手段により設定された各監視領域を前記拡大撮像手段によって拡大して撮像するための情報を前記監視領域ごとに設定する拡大撮像情報設定手段と、
前記拡大撮像手段により撮像された画像を出力する拡大画像出力手段と、
前記状態判定手段により前記非稼働滞留状態の遊技機があると判定されたときに、当該遊技機に対応する前記監視領域について前記拡大撮像情報設定手段により設定された情報に基づいて、当該遊技機に対応する監視領域を前記拡大撮像手段によって拡大して撮像し、該撮像した画像を前記拡大画像出力手段から出力させる処理を行なう拡大撮像処理手段とをさらに含むことを特徴とする、請求項１に記載の遊技場管理システム。
【請求項３】
前記状態判定手段は、前記稼働有無特定手段により特定された前記稼働の有無、および、前記滞留者有無特定手段により特定された前記滞留者の有無に基づいて、稼働無しでかつ滞留者無しとなっている非稼働非滞留状態、または、稼働有りでかつ滞留者有りとなっている稼働滞留状態の遊技機があるか否かをさらに判定し、
前記報知手段は、さらに、前記状態判定手段により前記非稼働非滞留状態または前記稼働滞留状態の遊技機があると判定されたときに、当該判定がされた状態の遊技機がある旨を報知することを特徴とする、請求項１または２に記載の遊技場管理システム。
【請求項４】
前記状態判定手段は、前記稼働有無特定手段により特定された前記稼働の有無、および、前記滞留者有無特定手段により特定された前記滞留者の有無に基づいて、稼働有りでかつ滞留者無しとなっている稼働非滞留状態の遊技機があるか否かをさらに判定し、
前記報知手段は、さらに、前記状態判定手段により前記稼働非滞留状態の遊技機があると判定されたときに、当該判定がされた状態の遊技機がある旨を報知することを特徴とする、請求項１から３のいずれかに記載の遊技場管理システム。
【請求項５】
前記報知手段は、前記報知をするときに、前記遊技場内での前記複数の遊技機の配列において前記状態判定手段により判定された状態の遊技機の配置位置を特定した画像を表示することを特徴とする、請求項１から４のいずれかに記載の遊技場管理システム。
【請求項６】
前記状態判定手段により判定された各状態の遊技機の数を算出する算出手段と、
該算出手段により算出された各状態の遊技機の数を状態ごとに区分して報知する判定機数報知手段をさらに含むことを特徴とする、請求項３から５のいずれかに記載の遊技場管理システム。
【請求項７】
前記複数の遊技機のそれぞれには異なる番号が付与されており、
前記監視領域設定手段により設定された各監視領域に対応する遊技機の番号を設定する遊技機番号設定手段と、
該遊技機番号設定手段における設定に基づいて、前記状態判定手段により判定された状態の遊技機の番号を特定する遊技機番号特定手段とをさらに含み、
前記報知手段は、前記状態判定手段により判定がされた状態の遊技機がある旨を報知するときに、さらに、前記遊技機番号特定手段により特定された遊技機の番号を報知することを特徴とする、請求項１から６のいずれかに記載の遊技場管理システム。
【発明の詳細な説明】
【技術分野】
【０００１】
本発明は、遊技場の管理を行なう遊技場管理システムに関する。詳しくは、複数の遊技機が設けられた遊技場の管理を行なう遊技場管理システムに関する。
【背景技術】
【０００２】
この種の遊技場管理システムとして従来から一般的に知られているものに、たとえば、パチンコ遊技機等の複数の遊技機が設けられた遊技場において、遊技機の稼働状況を管理する等、遊技場の管理を行なうものがあった。
【０００３】
このような従来の遊技場管理システムでは、各遊技機から出力される遊技情報に基づいて遊技機が稼働状態または非稼働状態のどちらにあるのかを判定し、その判定に基づいて各遊技機の稼働状況が管理される（特許文献１）。
【特許文献１】特開２０００−７９２６３号公報（図３）
【発明の開示】
【発明が解決しようとする課題】
【０００４】
しかし、前述のような従来の遊技場管理システムでは、非稼働状態の遊技機が、単に遊技をする人が着座していないことにより非稼働になっているのか、または、遊技をしない人が着座していることにより非稼働になっているのかの区別ができなかった。ここで、遊技をしないのに着座する人には、たとえば隣接遊技機の見学者が含まれる。このように遊技をしないのに着座する人の存在によって遊技機が非稼働状態になると、当該遊技機での遊技を希望する人がいても遊技ができなくなる等、遊技機の稼働率が低下するという問題がある。さらに、このような問題が生じることを未然に防ぐためには、遊技場の係員が遊技場内を巡回して遊技をしないのに着座する人に注意をして回る必要があり、係員の管理負担が重くなるという問題も生じる。
【０００５】
本発明は、かかる事情に鑑み考え出されたものであり、その目的は、遊技機の稼働状況の管理に関する遊技場の管理負担を軽減するとともに、遊技機の稼働率低下の原因となる行為に対して迅速な対応ができるようにする遊技場管理システムを提供することである。
【課題を解決するための手段の具体例およびその効果】
【０００６】
（１）  複数の遊技機（パチンコ遊技機１）が設けられた遊技場（遊技場１０）の管理を行なう遊技場管理システム（集中管理装置９等）であって、
前記遊技場内で前記複数の遊技機を含む予め定められた領域を撮像する撮像手段（滞留監視カメラ４）と、
該撮像手段による撮像領域内で遊技機ごとに個別に監視領域を設定する監視領域設定手段（集中管理装置９、制御部９０、入力部９５、Ｓ１〜Ｓ６等）と、
前記複数の遊技機のそれぞれの稼働状況を示す稼働情報（アウト球検出情報）の入力を受ける稼働情報入力手段（集中管理装置９、入出力インタフェース９４）と、
該稼働情報入力手段から入力された前記稼働情報に基づいて、各遊技機における稼働の有無を特定する稼働有無特定手段（集中管理装置９、制御部９０、Ｓ４１〜Ｓ４６等）と、
前記撮像手段により撮像された画像における前記監視領域設定手段により設定された各監視領域の画像の変化により、各監視領域で滞留している滞留者の有無を特定する滞留者有無特定手段（滞留監視カメラ制御装置６、制御部６０、Ｓ２１〜Ｓ２６，Ｓ６１〜Ｓ６９等）と、
稼働有無特定手段により特定された前記稼働の有無、および、前記滞留者有無特定手段により特定された前記滞留者の有無に基づいて、稼働無しでかつ滞留者有りとなっている非稼働滞留状態の遊技機があるか否かを判定する状態判定手段（集中管理装置９、制御部９０、Ｓ５１，Ｓ５５，Ｓ５６等）と、
該状態判定手段により前記非稼働滞留状態の遊技機があると判定されたときに、当該判定がされた遊技機がある旨を報知する報知手段（集中管理装置９、制御部９０、Ｓ８８〜Ｓ９１，Ｓ９８等、表示部９６、スピーカ９８、インターカム制御装置９９、インターカム９９０）とを含む。
【０００７】
このような構成によれば、稼働情報に基づく各遊技機における稼働の有無、および、遊技機ごとに個別に設定された監視領域の画像の変化により特定される滞留者の有無に基づいて、非稼働滞留状態の遊技機があるか否かが判定され、非稼働滞留状態の遊技機があると判定されたときには、当該判定がされた遊技機がある旨が報知される。このため、滞留者がいるにも関わらず稼働状態になっていない状態、すなわち、非稼働滞留状態の遊技機の存在を係員が直接見に行かなくても把握することができるので、遊技機の稼働状況の管理に関する遊技場の管理負担を軽減することができる。さらに、非稼働滞留状態の遊技機の存在を係員が直接見に行かなくても把握することができることにより、当該状態の遊技機に対処する措置を迅速にとることができる等、遊技機の稼働率低下の原因となる行為に対して迅速な対応ができる。
【０００８】
（２）  前記監視領域設定手段により設定された各監視領域を拡大して撮像する拡大撮像手段（拡大監視カメラ５）と、
前記監視領域設定手段により設定された各監視領域を前記拡大撮像手段によって拡大して撮像するための情報（ズーム倍率データ、撮像方向データ）を前記監視領域ごとに設定する拡大撮像情報設定手段（集中管理装置９、制御部９０、入力部９５、Ｓ１１〜Ｓ１６等）と、
前記拡大撮像手段により撮像された画像を出力する拡大画像出力手段（表示部９６）と、
前記状態判定手段により前記非稼働滞留状態の遊技機があると判定されたときに、当該遊技機に対応する前記監視領域について前記拡大撮像情報設定手段により設定された情報に基づいて、当該遊技機に対応する監視領域を前記拡大撮像手段によって拡大して撮像し、該撮像した画像を前記拡大画像出力手段から出力させる処理を行なう拡大撮像処理手段（集中管理装置９、制御部９０、Ｓ８８，Ｓ９１ａ，Ｓ９８等）とをさらに含む。
【０００９】
このような構成によれば、非稼働滞留状態の遊技機があると判定されたときに、当該遊技機に対応する監視領域が拡大して撮像されるので、非稼働滞留状態に関与した滞留者を確認しやすくなるようにすることができる。
【００１０】
（３）  前記状態判定手段は、前記稼働有無特定手段により特定された前記稼働の有無、および、前記滞留者有無特定手段により特定された前記滞留者の有無に基づいて、稼働無しでかつ滞留者無しとなっている非稼働非滞留状態、または、稼働有りでかつ滞留者有りとなっている稼働滞留状態の遊技機があるか否かをさらに判定し（Ｓ５１，Ｓ５２，Ｓ５３，Ｓ５５，Ｓ５７等）、
前記報知手段は、さらに、前記状態判定手段により前記非稼働非滞留状態または前記稼働滞留状態の遊技機があると判定されたときに、当該判定がされた状態の遊技機がある旨を報知する（Ｓ８４〜Ｓ８７，Ｓ９８等）。
【００１１】
このような構成によれば、非稼働非滞留状態または稼働滞留状態の遊技機があるか否かが判定され、当該判定がされた状態の遊技機がある旨が報知されるので、遊技機における稼働状態と滞留者との関係をより明確に把握することができる。
【００１２】
（４）  前記状態判定手段は、前記稼働有無特定手段により特定された前記稼働の有無、および、前記滞留者有無特定手段により特定された前記滞留者の有無に基づいて、稼働有りでかつ滞留者無しとなっている稼働非滞留状態の遊技機があるか否かをさらに判定し（Ｓ５１，Ｓ５２，Ｓ５４等）、
前記報知手段は、さらに、前記状態判定手段により前記稼働非滞留状態の遊技機があると判定されたときに、当該判定がされた状態の遊技機がある旨を報知する（Ｓ９２〜Ｓ９５，Ｓ９８等）。
【００１３】
このような構成によれば、稼働非滞留状態の遊技機があるか否かが判定され、当該判定がされた状態の遊技機がある旨が報知されるので、滞留者がいないにも関わらず稼働状態になっている異常な状態、すなわち、稼働非滞留状態の遊技機の存在を係員が直接見に行かなくても把握することができるので、遊技機の稼働状況の管理に関する遊技場の管理負担をより一層軽減することができる。
【００１４】
（５）  前記報知手段は、前記報知をするときに、前記遊技場内での前記複数の遊技機の配列において前記状態判定手段により判定された状態の遊技機の配置位置を特定した画像を表示（図４、Ｓ８５，Ｓ８７，Ｓ８９，Ｓ９３，Ｓ９８等）。
【００１５】
このような構成によれば、状態判定手段により判定された状態の報知をするときに、遊技場内での複数の遊技機の配列において状態判定手段により判定された状態の遊技機の配置位置を特定した画像が表示されるので、報知対象の遊技機の位置確認を容易化することができ、当該状態の遊技機に対処する措置をさらに迅速にとることができる。
【００１６】
（６）  前記状態判定手段により判定された各状態の遊技機の数を算出する算出手段（集中管理装置９、制御部９０、Ｓ８１等）と、
該算出手段により算出された各状態の遊技機の数を状態ごとに区分して報知する判定機数報知手段をさらに含む（図４、集中管理装置９、制御部９０、表示部９６、Ｓ８２等）。
【００１７】
このような構成によれば、状態判定手段により判定された各状態の遊技機の数が算出されて、その遊技機の数が状態ごとに区分して報知されるので、各状態の遊技機数の確認を容易化することができる。
【００１８】
（７）  前記複数の遊技機のそれぞれには異なる番号（台番号）が付与されており、
前記監視領域設定手段により設定された各監視領域に対応する遊技機の番号を設定する遊技機番号設定手段（集中管理装置９、制御部９０、Ｓ６等）と、
該遊技機番号設定手段における設定に基づいて、前記状態判定手段により判定された状態の遊技機の番号を特定する遊技機番号特定手段（集中管理装置９、制御部９０、Ｓ８３，Ｓ９７等）とをさらに含み、
前記報知手段は、前記状態判定手段により判定がされた状態の遊技機がある旨を報知するときに、さらに、前記遊技機番号特定手段により特定された遊技機の番号を報知する（図４、Ｓ８５，Ｓ８７，Ｓ８９，Ｓ９１，Ｓ９３，Ｓ９５，Ｓ９８等）。
【００１９】
このような構成によれば、状態判定手段により判定がされた状態の遊技機がある旨を報知するときに、さらに、特定された遊技機の番号が報知されるので、判定がされた状態の遊技機に対処する措置をより一層迅速にとることができる。たとえば、非稼働滞留状態の遊技機および稼働非滞留状態の遊技機については当該遊技機に関係する者に注意を告げる措置を迅速にとることができ、非稼働非滞留状態の遊技機については遊技場内で当該非稼働状態の遊技機での遊技を勧めるための呼びかけをする措置を迅速にとることができる。
【発明を実施するための最良の形態】
【００２０】
次に、本発明の実施の形態を図面に基づいて説明する。なお、本実施の形態においては、遊技場管理システムの一例として、滞留監視カメラ制御装置および集中管理装置等を含むシステムを説明するが、複数の遊技機が設けられた遊技場の管理を行なう遊技場管理システムであれば、どのような遊技場管理システムにも適用可能である。また、本実施の形態においては遊技機の一例としてパチンコ遊技機を説明するが、これに限らず、遊技機としては、たとえばコイン遊技機、コインを使用するスロットマシン、コインの投入の代わりに所定個数の遊技球を投入してスロットマシン遊技を行なう遊技機等のその他のどのような遊技機であってもよい。
【００２１】
図１は、遊技場管理システムが設けられる遊技場における各種装置の配置状態を示す平面図である。
【００２２】
遊技店である遊技場１０においては、遊技機の一例としてのパチンコ遊技機１、遊技用装置の一例としてのカード販売機（図中「カード」）１１、遊技用装置の一例としてのジェットカウンタ（図中「ＪＣ」）１２、遊技用装置の一例としての精算機１３、遊技用装置の一例としてのＰＯＳ（Point  Of  Sales）装置１４、撮像手段の一例としての滞留監視カメラ４、および、拡大撮像手段の一例としての拡大監視カメラ５等の各種装置が設けられている。また、遊技場１０においては、主な構造物として、たとえば、パチンコ遊技機１が設置された遊技機設置島１００、および、カウンタ景品交換が行なわれるカウンタ１５が設けられている。これらの他に、遊技場１０においては、後述するホール管理コンピュータおよび集中管理装置等の各種装置が設けられた管理室（図示省略）が設けられている。
【００２３】
遊技場１０においては、遊技媒体の一例としての遊技球（パチンコ玉）を用いて遊技が行なわれるパチンコ遊技機１が背中合わせに（裏面側が向かい合う態様で）複数台（たとえば、片側１０台ずつの合計２０台）並んで設置された遊技機設置島１００が複数（たとえば１０島）並んで設けられている。各パチンコ遊技機１には、遊技者が遊技をするために座る椅子（図示省略）が設けられている。
【００２４】
また、各パチンコ遊技機１の左隣には、１台のパチンコ遊技機１に対して１対１の対応で、カードユニットが付設されている（図示省略）。このカードユニットにおいては、遊技場において遊技者に対して個別に発行された記録媒体としての遊技カード（プリペイドカード）を遊技球の貸出しを受けるために使用することができる。
【００２５】
遊技カードは、カード販売機１１等の所定の発行場所において、遊技者が発行を受けることができる。カード販売機１１は、たとえば、遊技機設置島１００の端部に設けられる態様で遊技場１０内に複数台配置されており、遊技に関わる処理として、遊技者からの現金の投入（支払い）に応じて遊技カードを発行する処理を行なう。
【００２６】
パチンコ遊技機１において遊技者が獲得した遊技球は、ジェットカウンタ１２により、個数を計数して計数値を景品交換用レシートに記録して出力することが可能である。ジェットカウンタ１２は、たとえば、遊技機設置島１００の端部に設けられる態様で遊技場１０内に複数台配置されており、遊技に関連する処理として、装置内部へ流入する遊技球の個数を玉検出部により検出して検出個数を計数し、遊技球の計数値を記録した景品交換用レシートを発行する処理を行なう。遊技者は、獲得した遊技球をジェットカウンタへ入れることにより計数値が記録された景品交換用レシートを得て、その景品交換用レシートをカウンタ１５に持って行って提出することにより、獲得した遊技球を景品に交換する景品交換を行なうことができる。
【００２７】
カウンタ１５の近傍には、精算機１３が設けられている。精算機１３では、遊技に関わる処理として、遊技カードのカード残高を現金に変換して遊技者に払い戻す、所謂精算をする処理が行なわれる。遊技者は、遊技カードを精算機１３のカード挿入口に挿入して精算操作を行なうことにより、カード残高から変換された現金の払出を精算機１３の現金払出口より受けることができる。
【００２８】
カウンタ１５には、ＰＯＳ装置１４が設けられている。ＰＯＳ装置１４は、遊技に関わる処理として、景品交換用レシートに記録された計数値を読取り、その計数値を景品に交換するための処理を行なう。この遊技場１００においては、ＰＯＳ装置１４と精算機１３とが隣り合う態様で設けられている。
【００２９】
滞留監視カメラ４は、上下方向に所定距離を隔てて配置された２つのＣＣＤ（Charge  Coupled  Device）を用いて一対のステレオ画像を撮像し、人物等の物体を３次元形状で認識するためのビテオカメラ（特開平１１−６６３１９号公報に開示されたカメラと同様の機能を有するカメラ）である。この滞留監視カメラ４は複数のＣＣＤを用いて同一対象物を異なる位置から撮像することにより、各ＣＣＤで撮像された画像上の座標の差（視差）からその対象物の空間座標上の位置を検出できる機能を有する。
【００３０】
このような滞留監視カメラ４は、主として、各パチンコ遊技機１における滞留者（パチンコ遊技機１の椅子に座って滞留している者であり、見学者と不正行為者とを含む）を監視するために設けられており、撮像方向が固定されている。また、滞留監視カメラ４は、各カード販売機１１、各ジェットカウンタ１２、精算機１３、および、ＰＯＳ装置１４のような遊技用装置を監視するためにも設けられている。
【００３１】
複数の滞留監視カメラ４は、遊技場１０内に設けられたパチンコ遊技機１、各カード販売機１１、各ジェットカウンタ１２、精算機１３、および、ＰＯＳ装置１４のすべてを分担して撮像可能な態様で遊技場１０の天井に複数台設けられている。複数の滞留監視カメラ４は、複数のパチンコ遊技機１のみを監視するための撮像を行なうカメラと、複数のパチンコ遊技機１および遊技用装置（この例では、カード販売機１１、ジェットカウンタ１２）を監視するための撮像を行なうカメラと、前述のような遊技用装置のみ（この例ではＰＯＳ装置１４、精算機１３）を監視するための撮像を行なうカメラとを含む。
【００３２】
図１においては、各滞留監視カメラ４についての左右方向の撮像範囲が破線により示されている。図中に示されるように、遊技機設置島１００間の通路を挟んで向かい合う２列のパチンコ遊技機１は、その通路の両端側から１台ずつ向い合うように配置された２台の滞留監視カメラ４で撮像される。このため、パチンコ遊技機１を監視するための撮像を行なう滞留監視カメラ４は、このような２列のパチンコ遊技機１が撮像範囲内に入ることができる位置に配置される。
【００３３】
１台の滞留監視カメラ４の監視対象として割振られたパチンコ遊技機１の数は、片側１列５台ずつで両側の２列を合わせて合計１０台である。この片側５台とは、一方の遊技機設置島１００での１列のパチンコ遊技機１の設置台数のうちの半数であることを意味する。つまり、この場合での１台の滞留監視カメラ４の監視対象となるパチンコ遊技機１の数は、通路を挟んで向かい合う２列のパチンコ遊技機１の全体数のうちの半数に設定されている。
【００３４】
また、図中に示されるように、片側１列のパチンコ遊技機１について通路を挟んで向かう遊技機設置島１００が存在しない遊技機設置島１００（遊技場１０の端部に設置された遊技機設置島）における当該片側の１列のパチンコ遊技機１は、その通路の両端側に１台ずつ向い合うように配置された２台の滞留監視カメラ４で撮像される。この場合の１台の滞留監視カメラ４の監視対象として割振られたパチンコ遊技機１の数は、１列の台数の半数である５台ずつである。
【００３５】
このようなパチンコ遊技機１を監視するための撮像を行なう滞留監視カメラ４のうち、遊技用装置を監視するための撮像も行なうカメラについては、遊技機設置島１００端部に設置された各遊技用装置も撮像範囲内に入ることができる位置に配置される。
【００３６】
また、図中に示されるように、遊技用装置のみ（この例ではＰＯＳ装置１４、精算機１３）を監視するための撮像を行なう滞留監視カメラ４については、撮像対象の遊技用装置が撮像範囲内に入ることができる位置に配置される。
【００３７】
このような遊技場１０においては、設置された複数の各滞留監視カメラ４のそれぞれに１対１または２対１で対応する態様で、複数の拡大監視カメラ５が設けられている。拡大監視カメラ５は、滞留監視カメラ４とは異なり、１つのＣＣＤを用いて画像を撮像し、人物等の物体を２次元形状で認識するためのビテオカメラである。この拡大監視カメラ５は、拡大撮像機能、すわなち、ズーム撮像機能を有するとともに、撮像方向が可動式である。拡大監視カメラ５には、撮像方向を上下方向および左右方向に変えるためにカメラ本体部の向きをモータにより駆動する駆動装置（図示省略）が設けられている。この駆動装置によりカメラ本体部におけるレンズ部の向きが変化させられることにより、対応する１台または２台の滞留監視カメラ４の撮像領域内で設定された複数の監視領域が拡大監視カメラ５によって個別に拡大撮像可能である。
【００３８】
次に、パチンコ遊技機１の構成の一例を説明する。以下に、パチンコ遊技機１の一例として、第１種遊技機を説明する。このパチンコ遊技機１の構成は、周知の構成であるため、図示を省略して説明する。
【００３９】
遊技者が打球操作ハンドルを操作すれば、上皿にある遊技球が１発ずつ弾発発射され、遊技領域内に打込まれる。遊技領域内に打込まれた遊技球は、打込球検出器により検出される。遊技領域に打込まれた打球（打玉）が始動入賞口に入賞すれば、入賞球が始動入賞球検出器により検出され、遊技領域の中央部に設けられた変動表示装置の変動表示領域（たとえば、変動表示領域は、左,中,右に並んだ３つの変動表示領域を有する）において、数字等の複数種類の図柄よりなる特別図柄の変動表示（更新表示または可変表示とも呼ばれる）が開始される。なお、打球が始動入賞口に入賞することを特に始動入賞と呼ぶ。
【００４０】
そして、変動表示装置における特別図柄の変動表示の停止結果が予め定められた特定の表示態様（たとえば７７７等のゾロ目の図柄の組合せ）である大当り図柄となれば、特定遊技状態としての大当り状態が発生する。大当り図柄の組合せは、複数種類あり、それらのうちのいずれかの大当り図柄の組合せが停止表示されれば、大当り状態が発生する。
【００４１】
大当り状態が発生すれば、変動表示装置の下方部分に位置する可変入賞球装置に設けられた開閉板が開成状態となって大入賞口が開き、可変入賞球装置が遊技者にとって有利な第１の状態となる。そして、可変入賞球装置においては、遊技球の可変入賞球装置への所定個数（たとえば１０個）の入賞、あるいは所定期間（たとえば３０秒間）の経過のうち、いずれか早い方の条件が成立することによりこの第１の状態が終了し、開閉板が閉成して遊技者に不利な第２の状態に変化する。
【００４２】
変動表示装置の変動表示中に再度打球が始動口に入賞すれば、その始動入賞が記憶されて変動表示装置が可変停止した後再度可変開始できる状態になるまで待ってその始動入賞に基づいて変動表示装置が再度可変開始される。この始動入賞記憶の上限値は、「４」に定められており、所定箇所に表示される。
【００４３】
可変入賞球装置が第１の状態となっている期間中に可変入賞球装置内に進入した入賞球は１０カウントセンサあるいは特定入賞球センサにより検出される。入賞球が特定入賞球センサにより検出されれば、その回における可変入賞球装置の第１の状態が終了するのを待って再度可変入賞球装置を第１の状態に制御する繰返し継続制御が行なわれる。この繰返し継続制御の実行上限回数はたとえば１６回と定められている。
【００４４】
繰返し継続制御が終了した後、いわゆる大当り状態が終了して、再び大当りが発生しない限り開閉板が開成しない状態となる。なお、このような状態に移行した際、状態移行前に発生した大当りが、特に、ある特別の図柄の組合せによるものである場合には、大当りが発生する確率が高くなるように制御される。つまり、大当りが発生する図柄の組合せが複数種類あり、そのうちのある図柄の組合せで大当りが発生した場合に、大当りが発生する確率が高くなるように制御されるのである。
【００４５】
このように大当り確率の変動した遊技状態が特に確率変動状態（略称、確変）と呼ばれる。このような大当り確率が変動した状態は、たとえばその次の大当りが発生するまで継続する。
【００４６】
また、遊技領域においては、前述した始動入賞口の他にも、通常の入賞口が設けられている。また、いずれの入賞領域（入賞口および可変入賞球装置内の入賞領域）にも入賞しなかった遊技球は遊技領域の下部に設けられたアウト口により回収される。アウト口により回収された遊技球および入賞領域に入賞した遊技球であるアウト球は、パチンコ遊技機１の内部で合流されて、所定の排出経路を経て外部に排出される。このアウト球は、遊技機設置島１００におけるパチンコ遊技機１の下方に設けられているアウト球検出器によりパチンコ遊技機１ごとに検出される。
【００４７】
このようなパチンコ遊技機１においては、遊技球が入賞した場合に、入賞の種類に応じて所定個数の賞球が払出され、その遊技球を用いて引続き打球発射を繰返し行なって遊技が行なえる。貸出のために払出される遊技球および賞球として払出される遊技球は、ともに所定の補給経路を経てパチンコ遊技機１の内部に補給される。以下の説明においては、このように払出される遊技球を補給球と呼ぶ。この補給球は、遊技機設置島１００におけるパチンコ遊技機１の上方に設けられている補給球検出器によりパチンコ遊技機１ごとに検出される。払出される遊技球は、基本的に上皿に送られるが、上皿が満杯（満タン）になったときについては上皿の下方に設けられた下皿へ送られる。
【００４８】
次に、遊技場１０内の状況を管理するためのシステムの構成について説明する。図２は、遊技場１０に設けられた遊技場管理システムの構成を示すブロック図である。
【００４９】
遊技場１０においては、前述したパチンコ遊技機１およびカードユニットの他に、台端末装置２、島端末装置３、ホール管理コンピュータ８、滞留監視カメラ制御装置６、拡大監視カメラ制御装置７、集中管理装置９、スピーカ９８、および、インターカム制御装置９９等の各種装置が設けられている。また、遊技場１０内には、遊技場１０の各係員が所持して係員同士の間および係員と管理室との間で無線通話を行なうための携帯式の通信装置であるインターカム９９０が存在している。
【００５０】
各パチンコ遊技機１については、始動情報、アウト球検出情報、発射情報、補給情報、および、大当り情報等のパチンコ遊技機の稼働状況を示す稼働情報を含む各種遊技情報が各パチンコ遊技機１と、各パチンコ遊技機１に対応して遊技機設置島１００に設けられた遊技機対応各種検出器２０とから出力される。ここで、遊技機対応各種検出器２０とは、各パチンコ遊技機１の外部に設けたアウト球検出器および補給球検出器を含む各種検出器の総称である。
【００５１】
また、始動情報は、始動入賞が生じたことを示す情報であり、前述の始動入賞球検出器により始動入賞球が検出されたことに基づいて出力される。アウト球検出情報は、アウト球が生じたことを示す情報であり、前述のアウト球検出器によりアウト球が検出されたことに基づいて出力される。発射情報は、遊技球が発射されたことを示す情報であり、前述の打込球検出器により打込球が検出されたことに基づいて出力される。大当り情報は、大当りが発生し大当り遊技状態となっていることを示す情報である。
【００５２】
各パチンコ遊技機１と、各パチンコ遊技機１に対応する遊技機対応各種検出器２０とから出力された前述の稼働情報を含む各種遊技情報は、パチンコ遊技機１の４台ごとに１つずつ設けられた端末装置である台端末装置２を介し、さらに、遊技機設置島１００ごとに１つずつ設けられた端末装置である島端末装置３を介してホール管理コンピュータ８に送信される。このような稼働情報を含む各種遊技情報が送信されるときには、送信される情報において、どのパチンコ遊技機１に関する情報であるかを識別するために、当該情報の対象となるパチンコ遊技機１に付与された台番号（遊技場１０内の各パチンコ遊技機１を特定するために各パチンコ遊技機１に所定順序で付与された番号であり、パチンコ遊技機１ごとに異なる番号）の情報が示される。これにより、ホール管理コンピュータ８では、送信されてきた情報に基づいて、送信されてきた情報がどの台番号のパチンコ遊技機１に関する情報であるかを把握し、パチンコ遊技機１ごとに遊技情報の管理等の各種管理を行なう。
【００５３】
ホール管理コンピュータ８は、前述の管理室に設けられ、遊技場１０内全体を管理対象として遊技情報等の各種情報を管理する装置である。ホール管理コンピュータ８は、前述のように各パチンコ遊技機１から送られてきた情報に基づいて、各パチンコ遊技機１の稼働状況を個別に管理する。また、ホール管理コンピュータ８は、前述のように各パチンコ遊技機１に対応するアウト球検出情報が送られてきたときに、該当するパチンコ遊技機１の管理情報を更新するとともに、該当するパチンコ遊技機１の稼働情報として、該当するパチンコ遊技機１の台番号を特定したアウト球検出情報を集中管理装置９へ送信する。
【００５４】
滞留監視カメラ制御装置６は、各滞留監視カメラ４を制御する装置であり、管理室に設けられている。各滞留監視カメラ４は、各カメラを識別するためのカメラＩＤ (IDentification)が付与されており、そのカメラＩＤに基づいて、滞留監視カメラ制御装置６および集中管理装置９において管理される。
【００５５】
滞留監視カメラ制御装置６は、集中管理装置９からの制御信号による制御内容の指示に基づいて各滞留監視カメラ４へ制御信号を与えることにより、各滞留監視カメラ４の動作制御を行なう。さらに、滞留監視カメラ制御装置６は、各滞留監視カメラ４による撮像により得られた画像データを集中管理装置９へ与える制御を行なうとともに、たとえば次のような滞留監視カメラ４に関する各種制御のための処理を実行する。
【００５６】
滞留監視カメラ制御装置６には、各滞留監視カメラ４による撮像により得られた画像データが入力される。滞留監視カメラ制御装置６では、各滞留監視カメラ４による撮像により得られた画像データが時間的に連続したディジタルデータとして記憶される。滞留監視カメラ制御装置６は、各滞留監視カメラ４による撮像により得られた画像データに基づいて、各滞留監視カメラ４の撮像領域内における人物画像を特定して追跡対象者画像として追跡する撮像領域内人物画像追跡処理を実行する。そして、滞留監視カメラ制御装置６は、撮像領域内人物画像追跡処理で追跡されている追跡対象者画像が各滞留監視カメラ４の撮像領域内に設定された各監視領域に入った後、その人物が滞留者（詳しくは後述する）であるか否かを判定（追跡対象者画像が予め設定された滞留特定時間以上各監視領域内において存在しているか否かに基づき判定）することに基づいて滞留者（詳しくは後述する）の有無を特定し、その特定した滞留者の有無を示す滞留者有無情報を集中管理装置９へ送信する管理領域内画像特定処理を実行する。
【００５７】
滞留監視カメラ制御装置６には、前述した制御を実行する制御部６０と、各種データを記憶する不揮発性のメモリよりなる記憶部６１とが含まれている。制御部６０は、マイクロコンピュータにより構成され、各種制御用のプログラム等を記憶するＲＯＭ（Read Only Memory）、ワークメモリとして使用されるＲＡＭ（Random Access Memory）、ＲＯＭに記憶された制御用のプログラムに従って制御動作を行なうＣＰＵ（Central Processing Unit）、および、入出力インタフェースが含まれる。記憶部６１には、各滞留監視カメラ４での撮像により得られた画像データが複数フレームずつ記憶される。これにより、各滞留監視カメラ４に対応する画像データは、過去の複数フレーム前の画像が適宜参照できる。
【００５８】
拡大監視カメラ制御装置７は、各拡大監視カメラ５を制御する装置であり、管理室に設けられている。各拡大監視カメラ５は、各カメラを識別するためのカメラＩＤが付与されており、そのカメラＩＤに基づいて、拡大監視カメラ制御装置７および集中管理装置９において管理される。
【００５９】
拡大監視カメラ制御装置７は、集中管理装置９からの制御信号による制御内容の指示に基づいて、各拡大監視カメラ５へ制御信号を与えることにより、各拡大監視カメラ５の本体部の動作制御を行なうとともに、各拡大監視カメラ５へ駆動信号を与えて各拡大監視カメラ５の駆動部の動作制御を行なう。さらに、拡大監視カメラ制御装置７は、各拡大監視カメラ５による撮像により得られた拡大画像データを含む画像データを集中管理装置９へ与える制御を行なう等、各拡大監視カメラ５に関する各種制御のための処理を実行する。
【００６０】
拡大監視カメラ制御装置７には、前述した制御を実行する制御部７０と、各種データを記憶する不揮発性のメモリよりなる記憶部７１と、前述したように各拡大監視カメラ５の撮像方向を変化させるために本体部の向きをモータにより駆動する駆動装置を駆動するための処理を行なう駆動部７２とが含まれている。制御部７０は、マイクロコンピュータにより構成され、各種制御用のプログラム等を記憶するＲＯＭ、ワークメモリとして使用されるＲＡＭ、ＲＯＭに記憶された制御用のプログラムに従って制御動作を行なうＣＰＵ、および、入出力インタフェースが含まれる。
【００６１】
集中管理装置９は、滞留者の監視、および、滞留者の発見時における処置等の滞留者に関する情報を集中的に管理する装置であり、管理室に設けられている。集中管理装置９は、制御部９０、入力部９５、表示部９６、および、記憶部９７を含む。
【００６２】
制御部９０は、マイクロコンピュータにより構成され、後述するような各種処理の実行用のプログラム等を記憶するＲＯＭ９１、ワークメモリとして使用されるＲＡＭ９２、ＲＯＭに記憶されたプログラムに従って各種処理動作を行なうＣＰＵ９３、および、制御部９０におけるデータの入出力を行なう入出力インタフェース９４が含まれる。入力部９５は、管理者が入力操作をすることが可能なキーボード、マウス、および、ジョイスティック等の入力操作手段よりなり、管理者の操作に応じて制御部９０へ各種のデータを入力する。表示部９６は、任意の画像を表示することが可能な液晶表示装置よりなり、制御部９０により表示制御が行なわれる。記憶部９７は、不揮発性のメモリよりなり、各種データが記憶される。
【００６３】
さらに、管理室には、集中管理装置９による監視領域の監視に基づき警報音が出力されるスピーカ９８が設けられている。さらに、管理室には、インターカム９９０による通信を制御する装置であって、集中管理装置９による監視領域の監視に基づきインターカム９９０に対して所定の通報情報を送信するためのインターカム制御装置９９が設けられている。
【００６４】
集中管理装置９では、入力部９５における管理者によるデータの入力操作に応じて、各滞留監視カメラ４の撮像領域における監視領域に関する情報（以下、監視領域設定情報という）を設定するための監視領域設定処理、および、各拡大監視カメラ５による拡大撮像をするための情報（以下、拡大撮像設定情報という）を設定するための拡大撮像情報設定処理が実行される。また、滞留監視カメラ４について監視領域を設定したときには、その設定内容を示す情報である監視領域設定情報が滞留監視カメラ制御装置６へ送信される。
【００６５】
また、集中管理装置９では、ホール管理コンピュータ８から送信されてくるアウト球検出情報に基づいて、各パチンコ遊技機１が稼働状態にあるか否かを特定する稼働有無特定処理と、そのように特定された稼働状態の有無を示す稼働有無情報および滞留監視カメラ制御装置６から送信されてきた滞留有無情報に基づいて、各パチンコ遊技機における滞留の有無と稼働の有無との関係を示す状態がどのような状態にあるかを判定する状態判定処理とが実行される。
【００６６】
さらに、集中管理装置９では、前述の状態判定処理での判定結果情報等の所定の情報に基づいて、表示部９６において各パチンコ遊技機１の状態を実際の遊技機の配置に対応した配置画像上で色分けして報知し、スピーカ９８から警報音を出力し、各インターカム９９０へ所定の通報をするというような各種の報知を行なう状態報知処理が実行される。
【００６７】
次に、前述の監視領域設定処理における監視領域設定情報の設定方法について説明する。図３は、監視領域設定処理における監視領域設定情報の設定方法を示す表示部９６での表示画面図である。図３においては、監視領域設定情報の設定を行なうときの設定モードである監視領域設定モード時において、監視領域の範囲を指定するために集中管理装置９の表示部９６で表示される画像の一例が示されている。
【００６８】
集中管理装置９の表示部９６においては、パチンコ遊技機１の状態監視用の基本的な表示画像として、各種メニューボタンを表示するメニュー画像が表示される。このメニュー画像中に含まれるメニューボタン画像のうちに、各種設定画面を表示するための複数のメニューボタン画像が含まれている。そのメニューボタン画像としては、前述の監視領域設定処理を実行する監視領域設定モードを選択するメニューボタン画像と、前述の拡大撮像情報設定処理を実行する拡大撮像情報設定モードを選択するメニューボタン画像とが含まれている。
【００６９】
監視領域設定モードを選択するメニューボタン画像を管理者が入力部９５でのマウス等の操作により表示部９６での画像上で選択して操作すると、まず、監視領域を設定する対象となる滞留監視カメラ４のカメラＩＤを入力するための監視カメラ選択画像が表示部９６において表示される。このデータは、入力部９５でのキーボードを操作することにより入力することができる。
【００７０】
監視カメラ選択画像においてカメラＩＤが入力されると、図３に示されるように、表示部９６において、監視カメラ選択画像において指定したカメラＩＤの滞留監視カメラ４で撮像されている撮像領域が表示されるとともに、新たに監視領域を設定するパチンコ遊技機１の台番号を指定するデータを入力する台番号指定領域（図示省略）、前述の滞留特定時間を指定するデータを入力する滞留特定時間指定領域（図示省略）、既に設定された監視領域Ｅ、範囲を指定した監視領域に関する設定情報を設定（登録）するために操作する設定ボタン画像９６１、および、範囲を指定した監視領域監視領域に関する設定情報をクリア（削除）するために操作するクリアボタン画像９６２が表示される監視領域設定画像が表示される。ここで、滞留特定時間とは、追跡対象者画像が監視領域内において滞留しているか否か特定（判定）するために用いられる時間判定値であり、各監視領域において追跡対象者画像が存在している時間が滞留特定時間を満たしたときに追跡対象者画像が該当する監視領域内において滞留していると特定される。滞留特定時間は、各監視領域について一定数であってもよく、監視領域ごとに異なってもよい。これは、監視領域の範囲が前述のように任意に設定可能だからである。
【００７１】
図３に示されるような監視領域設定画像では、入力部９５でのキーボードを管理者が操作して前述の台番号指定領域に台番号を入力することにより、台番号を指定し、その指定した台番号のパチンコ遊技機１について、指定を希望する範囲の始点から終点まで入力部９５でのマウスでドラッグすることにより、指定した台番号のパチンコ遊技機１について指定する監視領域Ｅの範囲が赤色の四角い枠として表示される。監視領域Ｅは、一旦赤色の枠が表示された後でも、マウスポインタで枠を指定してドラッグ・アンド・ドロップにより位置を移動させることが可能であるとともに、マウスポインタで枠を指定してドラッグすることにより範囲を変更することが可能である。そして、監視領域設定画像では、入力部９５でのキーボードを操作して前述の滞留特定時間指定領域に滞留特定時間を入力することにより、範囲を指定した管理領域Ｅにおける滞留特定時間を任意に指定することが可能である。
【００７２】
各パチンコ遊技機１について設定する監視領域Ｅは、各パチンコ遊技機１に対応して設けられた椅子１ａに人物が着座して滞留しているかどうかを監視するための領域である。このため、各パチンコ遊技機１について設定する監視領域Ｅとしては、そのような人物を撮像しやすいような位置、すなわち、各パチンコ遊技機１に対応して設けられた椅子１ａ上に着座した人物が確実に撮像できるような範囲〔たとえば、図中に監視領域Ｅとして示されるような、各椅子１ａと、その前方に位置するパチンコ遊技機１との間の空間であって、座面から所定の高さ（たとえば、人の平均的な座高の高さ）までの範囲〕に設定するのが好ましい。
【００７３】
このような監視領域設定画像において、管理者がマウスにより設定ボタン画像９６１を操作することにより、指定されたパチンコ遊技機１の台番号を示すデータに、指定されたカメラＩＤを示すデータと、監視領域を特定する番号として対応する台番号と同じ番号を付与した監視領域番号を示すデータと、指定された監視領域の範囲を示すデータと、指定された滞留特定時間を示すデータとが対応付けられたデータ（以下、監視領域設定情報という）が、記憶部９７に設けられたデータベース（以下、監視領域データベースという）に記憶される。
【００７４】
以上に説明したような監視領域設定情報の設定作業が各パチンコ遊技機１について繰返し行なわれることにより、各パチンコ遊技機１についての監視領域設定情報が設定登録されることとなる。
【００７５】
また、監視領域設定画像において、マウスを用いた操作により、表示されている任意の監視領域Ｅを選択した後、クリアボタン画像９６２を操作すると、その選択された監視領域Ｅを対象として指定または設定された各種データが削除される。
【００７６】
また、監視領域設定画像においては、該当するカメラＩＤの各滞留監視カメラ４の撮像範囲においてすでに監視領域が設定済みの台番号のパチンコ遊技機１については、監視領域Ｅが青色の四角い枠として予め表示されている。このため、管理者は、今回設定する監視領域の範囲と、すでに設定済みの監視領域の範囲とが容易に区別できるとともに、設定済みの監視領域がどのようになっているかということを確認しながら各パチンコ遊技機１の監視領域を設定することができる。また、新たに設定する監視領域の範囲を指定して一旦赤色の枠が表示された後の設定ボタン画像９６１を操作する前の段階（指定がされたがまだ設定がされていない段階）においては、マウスポインタでその指定した枠を選択してドラッグ・アンド・ドロップにより位置を移動させることが可能であるとともに、マウスポインタで枠を指定してドラッグすることにより範囲を変更することが可能である。
【００７７】
また、監視領域設定画像において、監視領域が設定済みのパチンコ遊技機１を指定する台番号を入力すると、指定された設定済みの監視領域Ｅが赤色の四角い枠として表示され、マウスポインタでその枠を指定してドラッグすることにより範囲を変更することが可能である。このため、監視領域が設定済みのパチンコ遊技機１に対応する監視領域の範囲を変更する場合には、このような入力操作を行なうことにより監視領域の範囲の設定を変更することが可能である。
【００７８】
次に、前述の拡大撮像情報設定処理における拡大撮像設定情報の設定方法について説明する。集中管理装置９の表示部９６において表示されるメニュー画像において、拡大撮像情報設定処理を実行する拡大撮像情報設定モードを選択するメニューボタン画像を管理者が入力部９５でのマウス等の操作により画像上で選択して操作すると、まず、拡大撮像設定情報を設定する拡大撮像カメラ５のカメラＩＤを指定するデータを入力するための拡大撮像カメラ選択画像が表示される。
【００７９】
このような拡大撮像カメラ選択画像においてカメラＩＤが入力されると、拡大撮像情報設定画像として、次のような画像が表示部９６において表示される。このような拡大撮像情報設定画像においては、拡大撮像カメラ選択画像で指定したカメラＩＤの拡大撮像カメラ５で撮像されている撮像領域の画像（たとえば、図３に示すような画像と同様の画像）が表示部９６において表示される。さらに、拡大撮像情報設定画像においては、新たに拡大撮像領域を設定するパチンコ遊技機１の台番号を指定するデータを入力する台番号指定領域（図示省略）、指定した拡大撮像設定情報を設定（登録）するために操作する設定ボタン画像、および、指定した拡大撮像設定情報をクリア（削除）するために操作するクリアボタン画像も表示される。
【００８０】
このような拡大撮像情報設定画像では、初期状態で図３に示されるような拡大撮像されていない状態での撮像画像が表示部９６に表示されている。そして、拡大撮像情報設定画像では、入力部９５でのキーボードを管理者が操作して前述の台番号指定領域に台番号を入力することにより、拡大撮像情報を設定する台番号が指定される。そして、拡大撮像情報設定画像では、入力部９５でのジョイスティックを管理者が適宜操作することにより、指定する拡大撮像画像を実際に撮像して表示部９６に表示させることに伴って、拡大撮像をするときのズーム倍率を示すデータと撮像方向を示すデータとよりなる拡大撮像データが指定される。ジョイスティックにおいては、撮像する画像を拡大（ズームイン）するために操作する拡大スイッチと、撮像する画像を縮小（ズームアウト）するために操作する縮小スイッチと、撮像方向（アングル）を変更するために操作するレバーとが設けられている。管理者は、拡大撮像情報設定画像が表示されたときに、ジョイスティックにおいて、レバーを操作して撮像方向を指定するとともに、拡大スイッチおよび縮小スイッチを操作してズーム倍率を指定することにより、任意の拡大画像を撮像することができる。つまり、ジョイスティックでの各操作に応じた操作信号が入力部９５から集中管理装置９に与えられ、その操作信号に応じて集中管理装置９から拡大監視カメラ制御装置７に拡大監視カメラ５の動作制御を行なうための制御信号が与えられることにより拡大監視カメラ５が制御されて、ジョイスティックの操作に応じた撮像方向およびズーム倍率の画像が撮像される。
【００８１】
拡大撮像情報設定画像において台番号が指定されて拡大撮像画像が実際に撮像されているときには、指定された拡大監視カメラ５の制御データとして制御部９０が有している撮像中の拡大撮像カメラ５のズーム倍率を示すデータと、撮像方向を示すデータとがＲＡＭ９２に設けられた拡大撮像データ一時記憶領域に一時的に記憶されていく。これにより、前述のようなジョイスティックの操作に基づいて、拡大撮像をするときのズーム倍率を示すデータと撮像方向を示すデータとよりなる拡大撮像データが指定されることとなる。
【００８２】
そして、拡大撮像情報設定画像において、管理者がマウスにより設定ボタン画像９６１を操作することにより、その操作時点での拡大撮像カメラ５のズーム倍率を示すデータと、撮像方向を示すデータとが拡大撮像データ一時記憶領域から読出される。そして、指定された台番号を示すデータに、指定されたカメラＩＤを示すデータと、読出されたズーム倍率を示すデータと、読出された撮像方向を示すデータとが対応付けられたデータ（以下、拡大撮像設定情報という）が、記憶部９７に設けられたデータベース（以下、拡大撮像データベースという）に記憶される。一方、拡大撮像情報設定画像において、クリアボタン画像９６２がマウスを用いて操作されると、その時点で指定されていた台番号に対応する拡大撮像設定情報が削除されて、監視カメラ選択画像が再び表示される。
【００８３】
各パチンコ遊技機１について設定する拡大撮像データは、非稼働滞留状態のパチンコ遊技機１に滞留している人物を特定しやすくするために、各パチンコ遊技機１に対応して設けられた椅子１ａに着座した人物の顔を特定できるような拡大画像が撮像できるように設定するのが好ましい。
【００８４】
以上に説明したような拡大撮像設定情報の設定作業が各パチンコ遊技機１について繰返し行なわれることにより、各パチンコ遊技機１についての拡大撮像設定情報が設定登録されることとなる。
【００８５】
次に、前述の状態報知処理により集中管理装置９の表示部９６に表示される画像の一例として、稼働状況表示画像を説明する。図４は、集中管理装置９の表示部９６に表示される稼働状況表示画像を示す表示画面図である。
【００８６】
図４の（ａ）には、複数の遊技機設置島（この例では遊技場内の全遊技機設置島）を、遊技場内での配置に対応する位置関係で表示するとともに、各遊技機設置島内での全パチンコ遊技機を遊技機設置島内での配置に対応する位置関係で表示した第１稼働状況表示画像が示されている。また、図４の（ｂ）には、１つの遊技機設置島を表示するとともに、当該遊技機設置島内での全パチンコ遊技機を遊技機設置島内での配置に対応する位置関係で表示した第２稼働状況表示画像が示されている。
【００８７】
（ａ）を参照して、第１稼働状況表示画像においては、遊技機設置島１００を示す画像である島画像９６５が複数（島１〜島１０）並んで表示されている。これら複数の島画像９６５の配列は、図１に示されるような遊技場内１０での遊技機設置島１００の配置に対応する位置関係となっている。
【００８８】
また、各島画像９６５においては、各遊技機設置島１００内での全パチンコ遊技機１を遊技機設置島１００内での配置に対応する位置関係で四角い領域により区分けして示した複数の遊技機領域９６５０が含まれる。各遊技機領域９６５０においては、対応するパチンコ遊技機１の台番号が表示されるとともに、対応するパチンコ遊技機１の状態が、稼働滞留状態、非稼働滞留状態、非稼働非滞留状態、および、稼働非滞留状態の４つの状態に区別され、該当する状態が色により示される。この例では、稼働滞留状態が白色、非稼働滞留状態が赤色、非稼働非滞留状態が青色、稼働非滞留状態が黄色で示される。
【００８９】
ここで、稼働滞留状態とは、パチンコ遊技機１の稼働有りでかつ滞留者無しとなっている状態をいう。非稼働滞留状態とは、パチンコ遊技機１の稼働無しでかつ滞留者有りとなっている状態をいう。非稼働非滞留状態とは、パチンコ遊技機１の稼働無しでかつ滞留者無しとなっている状態をいう。稼働非滞留状態とは、パチンコ遊技機１の稼働有りでかつ滞留者無しとなっている状態をいう。また、このような状態を示す場合における稼働の有無の判定条件および滞留の有無の判定条件については、後述する。
【００９０】
また、第１稼働状況表示画像においては、遊技場１０内の全遊技機設置島１００に設置された全パチンコ遊技機１を対象として、前述した４つの状態の各状態に該当するパチンコ遊技機１の台数を状態ごとに区分して示す第１状態別台数報知画像９６６ａが表示される。第１状態別台数報知画像９６６ａにおいては、前述した４つの状態を明確に区別するために、各状態について遊技機領域９６５０での対応する色、稼働状態か否かを示す記号（稼働は○、非稼働は×）、滞留状態か否かを示す記号（滞留は○、非滞留は×）、および、該当するパチンコ遊技機１の台数が示される。たとえば、この例では、稼働滞留状態（稼働状態が○、滞留状態が○）が１４０台、非稼働滞留状態（稼働状態が×、滞留状態が○）が１６台、非稼働非滞留状態（稼働状態が×、滞留状態が×）が４０台、稼働非滞留状態が４台（稼働状態が○、滞留状態が×）であることが第１状態別台数報知画像９６６ａにより示されている。
【００９１】
また、第１稼働状況表示画像においては、表示対象となる島画像９６５の範囲を変更（移動）させるために操作する十字キー画像９６３が表示される。遊技場１０内に設けられた遊技機設置島１００の数が所定数（この例では１０島）よりも多いときには、すべての遊技機設置島１００を一度に表示することができない。このような場合に、十字キー画像９６３を操作して表示対象となる島画像９６５の範囲を変更（移動）させることにより、表示されていない遊技機設置島１００の島画像９６５が表示されるようにする。そして、このような島画像９６５の範囲を変更（移動）するために十字キー画像９６３が表示されるのである。十字キー画像９６３は、マウスにより上下左右の４方向への変更を指示する操作が可能である。十字キー画像９６３が操作されると、その操作に応じた方向に島画像９６５の表示範囲がスクロール移動することにより変更される。
【００９２】
また、第１稼働状況表示画像において、マウスポインタ９６７を任意の島画像９６５上に位置させて選択操作（マウスボタンのクリック操作）をすることにより、（ｂ）に示されるような選択された１つの島画像９６５（この例では島１の画像）を拡大表示した画像である第２稼働状況表示画像が表示される。また、第２稼働状況表示画像が表示されたときには、前述の第１状態別台数報知画像９６６ａの代わりに、選択された遊技機設置島１００（この例では島１）に設置された全パチンコ遊技機１を対象として、前述した４つの状態の各状態に該当するパチンコ遊技機１の台数を状態ごとに区分して示す第２状態別台数報知画像９６６ｂが表示される。
【００９３】
また、第２稼働状況表示画像が表示されたときにも、十字キー画像９６３が表示される。このときの十字キー画像９６３は、第２稼働状況表示画像の表示対象として選択する遊技機設置島１００を変更する操作を行なうために用いられる。つまり、十字キー画像９６３の操作により右方向を指示すると、現在選択されて第２稼働状況表示画像として表示されている島画像９６５（島１の画像）に代わって、その右隣に位置する島画像９６５（島２の画像）が選択されて拡大表示される。また、十字キー画像９６３の操作により下方向を指示すると、現在選択されて第２稼働状況表示画像として表示されている島画像９６５（島１の画像）に代わって、その下隣に位置する島画像９６５（島６の画像）が選択されて拡大表示される。このように、第２稼働状況表示画像が表示されたときには、十字キー画像９６３の操作に応じて、拡大表示される対象の遊技機設置島１００が変更される。
【００９４】
また、第２稼働状況表示画像が表示されたときには、第１稼働状況表示画像の表示に戻るために操作されるボタンを示す画像である戻るボタン画像９６８が表示される。この戻るボタン画像９６８がマウスにより操作されると、表示される画像が、（ａ）に示される第１稼働状況表示画像の表示に戻される。
【００９５】
次に、集中管理装置９における制御部９０のＣＰＵ９３により実行される監視領域設定処理を説明する。この監視領域設定処理は、制御部９０において各種処理のために実行されるメインルーチンプログラムにより起動されるサブルーチンプログラムのうちの１つである。図５は、集中管理装置９の制御部９０において実行される監視領域設定処理の処理内容を示すフローチャートである。
【００９６】
まず、ステップＳ（以下、単にＳという）１により、前述の監視領域設定モードの指定がされているか否かが判断される。Ｓ１により指定されていないと判断された場合は、この監視領域設定処理が終了し、リターンする。一方、Ｓ１により指定されていると判断された場合は、Ｓ２に進む。この段階では、他のサブルーチンプログラムの実行により前述の監視カメラ選択画像が表示部９６に表示される。Ｓ２では、監視カメラ選択画像でのカメラＩＤの入力に基づいてカメラＩＤが指定されているか否かが判断される。Ｓ２によりカメラＩＤが指定されていないと判断された場合は、この監視領域設定処理が終了し、リターンする。一方、Ｓ２によりカメラＩＤが指定されていると判断された場合は、Ｓ３に進む。この段階では、他のサブルーチンプログラムの実行により図３に示されるような前述の監視領域設定画像（図３参照）が表示部９６に表示される。Ｓ３では、監視領域設定画像での台番号指定領域へのパチンコ遊技機１の台番号の入力に基づいて台番号が指定されているか否かが判断される。
【００９７】
Ｓ３により台番号が指定されていないと判断された場合は、この監視領域設定処理が終了し、リターンする。一方、Ｓ３により台番号が指定されていると判断された場合は、Ｓ４に進み、前述の監視領域設定画像上での監視領域の範囲の指定操作により、指定された台番号に対応する図３に示されるような監視領域Ｅの範囲が指定されているか否かが判断される。Ｓ４により監視領域の範囲が指定されていないと判断された場合は、この監視領域設定処理が終了し、リターンする。一方、Ｓ４により監視領域の範囲が指定されていると判断された場合は、Ｓ４ａに進む。この段階では、他のサブルーチンプログラムの実行により図３に示されるような指定された監視領域Ｅの範囲が赤色で表示される。Ｓ４ａでは、前述の監視領域設定画像上での滞留特定時間指定領域への滞留特定時間の入力に基づいて滞留特定時間が指定されているか否かが判断される。
【００９８】
Ｓ４ａにより滞留特定時間が指定されていないと判断された場合は、この監視領域設定処理が終了し、リターンする。一方、滞留特定時間が指定されていると判断された場合は、Ｓ５に進み、図３に示されるような監視領域設定画像上での設定ボタンとしての設定ボタン画像９６１が操作されたか否かが判断される。
【００９９】
Ｓ５により操作されていないと判断された場合は、この監視領域設定処理が終了し、リターンする。一方、Ｓ５により操作されたと判断された場合は、Ｓ６に進み、指定された台番号を示すデータに、指定されたカメラＩＤを示すデータと、指定された監視領域を特定する番号として対応する台番号と同じ番号を付与した監視領域番号を示すデータと、指定された監視領域の範囲を示すデータと、指定された滞留特定時間を示すデータとが対応付けられた監視領域設定情報を前述の監視領域データベースに記憶させる処理が行なわれる。このように監視領域設定情報が監視領域データベースに記憶されると、該当する台番号のパチンコ遊技機１については監視領域が設定されたこととなり、監視領域設定画像においては、設定された監視領域Ｅが青色で表示されることとなる。
【０１００】
次に、Ｓ７に進み、Ｓ６で設定された監視領域設定情報を滞留監視カメラ制御装置６へ送信するための処理が行なわれる。このように送信された監視領域設定情報は、滞留監視カメラ制御装置６において、各滞留監視カメラ４が対応する台番号および監視領域番号を特定するために用いられる。Ｓ７の後、この拡大撮像情報設定処理が終了し、リターンする。
【０１０１】
このような監視領域設定処理が実行されることにより、管理者が、各パチンコ遊技機１について監視領域設定情報を監視領域データベースに記憶させることができる。
【０１０２】
次に、集中管理装置９における制御部９０のＣＰＵ９３により実行される拡大撮像情報設定処理を説明する。この拡大撮像情報設定処理は、制御部９０において実行される前述のサブルーチンプログラムのうちの１つである。図６は、集中管理装置９の制御部９０において実行される拡大撮像情報設定処理の処理内容を示すフローチャートである。
【０１０３】
まず、Ｓ１１により、前述の拡大撮像情報設定モードの指定がされているか否かが判断される。Ｓ１１により指定されていないと判断された場合は、この拡大撮像情報設定処理が終了し、リターンする。一方、Ｓ１１により指定されていると判断された場合は、Ｓ１２に進む。この段階では、他のサブルーチンプログラムの実行により前述の拡大撮像カメラ選択画像が表示部９６に表示される。Ｓ１２では、拡大撮像カメラ選択画像でのカメラＩＤの入力に基づいてカメラＩＤが指定されているか否かが判断される。Ｓ１２によりカメラＩＤが指定されていないと判断された場合は、この拡大撮像情報設定処理が終了し、リターンする。一方、Ｓ１２によりカメラＩＤが指定されていると判断された場合は、Ｓ１３に進む。この段階では、他のサブルーチンプログラムの実行により前述の拡大撮像情報設定画像が表示部９６に表示される。Ｓ１３では、拡大撮像情報設定画像での台番号指定領域へのパチンコ遊技機１の台番号の入力に基づいて台番号が指定されているか否かが判断される。
【０１０４】
Ｓ１３により台番号が指定されていないと判断された場合は、この拡大撮像情報設定処理が終了し、リターンする。一方、Ｓ１３により台番号が指定されていると判断された場合は、Ｓ１４に進み、拡大撮像情報設定画像が表示されているときにおける前述のようなジョイスティックを用いた拡大撮像データを指定するための操作（撮像方向の指定操作、ズーム倍率の指定操作）に伴って、指定されたカメラＩＤおよび台番号に対応する拡大撮像データ（ズーム倍率を示すデータおよび撮像方向を示すデータ）が指定されている（拡大撮像データ一時記憶領域にデータが一時的に記憶されている）か否かが判断される。Ｓ１４により拡大撮像データが指定されていないと判断された場合は、この拡大撮像情報設定処理が終了し、リターンする。一方、Ｓ１４により拡大撮像データが指定されていると判断された場合は、Ｓ１５に進み、前述の拡大撮像情報設定画像上での設定ボタン（設定ボタン画像）が操作されたか否かが判断される。
【０１０５】
Ｓ１５により操作されていないと判断された場合は、この拡大撮像情報設定処理が終了し、リターンする。一方、Ｓ１５により操作されたと判断された場合は、Ｓ１６に進み、指定された台番号を示すデータに、指定されたカメラＩＤを示すデータと、指定された拡大撮像データ（前述のようにＲＡＭ９２に一時記憶されたズーム倍率を示すデータおよび撮像方向を示すデータ）を示すデータとが対応付けられた拡大撮像設定情報を記憶部９７に設けられた前述の拡大撮像データベースに記憶させる処理が行なわれる。このような拡大撮像データについては、ＲＡＭ９２に記憶されたデータと拡大撮像データベースに記憶されたデータとが存在するが、ＲＡＭ９２に一時記憶されたデータはデータ設定時以外の状態での撮像に用いられず、拡大撮像データベースに記憶されたデータが後述する状態報知処理において拡大撮像のために用いられることとなる。Ｓ１６の後、この拡大撮像情報設定処理が終了し、リターンする。
【０１０６】
このような拡大撮像情報設定処理が実行されることにより、管理者が、各パチンコ遊技機１について拡大撮像設定情報を拡大撮像データベースに記憶させることができる。
【０１０７】
次に、滞留監視カメラ制御装置６における制御部６０のＣＰＵにより実行される撮像領域内人物画像追跡処理を説明する。この撮像領域内人物画像追跡処理は、制御部６０において各種処理のために実行されるメインルーチンプログラムにより起動されるサブルーチンプログラムのうちの１つである。
【０１０８】
図７は、滞留監視カメラ制御装置６の制御部６０において実行される撮像領域内人物画像追跡処理の処理内容を示すフローチャートである。以下に示す撮像領域内人物画像追跡処理は、各滞留監視カメラ４を対象として、対象とする滞留監視カメラ４ごとに並列的に実行される。
【０１０９】
まず、Ｓ２１により、追跡対象の滞留監視カメラ４から送られてくる追跡対象の撮像領域の撮像データとしての画像データを取得する処理が行なわれる。そして、Ｓ２２により、Ｓ２１で取得した画像データに基づいて、追跡対象の撮像領域内に存在する人物画像（人物を示す画像）を特定する処理が行なわれる。Ｓ２２による人物画像の特定は、撮像した画像の変化により画像内における物体画像を抽出する周知の方法である背景差分法を用いて行なわれる。ここで、背景差分法とは、新たに撮像した画像と予め撮像しておいた背景画像とを比較してこれらの画像データの差異に基いて移動物体を検出する画像処理の手法をいう。
【０１１０】
より具体的に、Ｓ２２においては、次のような処理が行なわれる。まず、追跡対象の撮像領域内で人物が存在しないときの画像を背景画像として予め定め撮像して、その画像データを背景画像データとして記憶部６１に記憶しておき、Ｓ２１により取得した画像データと、記憶している背景画像データとを比較して、これらの画像データ間に色の違いおよび濃度の違い等の差異（変化）があるときに、当該差異がある部分の画像を人物画像として特定する。
【０１１１】
この実施の形態では、物体を３次元形状で認識するための滞留監視カメラ４を用いるため、人物画像の特定は、次のように行なわれる。
【０１１２】
まず、滞留監視カメラ４により物体を３次元形状で認識する原理を説明する。滞留監視カメラ４に設けられた２つのＣＣＤは、同一の監視領域に対し、異なる方向から撮像するように設けられており、同一タイミングで画像を撮像する。同一物体に対する両ＣＣＤの撮像方向が異なるので、両ＣＣＤで撮像した２つの２次元画像（平面画像）データのそれぞれに存在する当該物体中での任意の特徴点の位置は、座標値が異なる。また、両ＣＤＤについては、設置位置、レンズの焦点位置、および、撮像方向が予め定められている。そして、このように撮像された特徴点については、両ＣＣＤで撮像した２つの２次元画像データのそれぞれにおける２次元座標位置が画像処理により求められる。そうすると、一方のＣＣＤの焦点位置と対応する２次元画像データにおける特徴点の座標位置とを結ぶ第１の直線と、他方のＣＣＤの焦点位置と対応する２次元画像データにおける特徴点の座標位置とを結ぶ第２の直線との交点の空間座標位置（３次元座標位置）を求めることにより、その特徴点の３次元座標位置が得られる。これにより、滞留監視カメラ４での撮像に基づいて、物体を３次元形状で認識することができる。このように、滞留監視カメラ４は２つのＣＣＤを用いて同一対象物を異なる位置から撮像することにより、各ＣＣＤで撮像された画像上の座標の差（視差）からその対象物の空間座標上の位置を検出できる機能を有する。
【０１１３】
このように物体を３次元形状で認識する場合には、２つのＣＣＤのうち、いずれか一方のＣＣＤで前述のような背景画像の画像データを予め撮像して記憶しておき、その背景画像データと、Ｓ２１により取得したＣＣＤの方の画像データとを比較して、これらの画像データ間に色の違い等の差異（変化）があるときに、当該差異がある部分の画像を特徴点とし、その画像上の複数の特徴点を人物画像として特定する。そして、そのような人物画像における複数の特徴点を前述のような３次元座標のデータとして、２つのＣＣＤで撮像した２次元画像データと対応付けて記憶部６１の人物画像記憶領域に記憶する。このような画像データは、最新のものから複数フレーム分記憶し、更新していく。
【０１１４】
次に、Ｓ２３に進み、Ｓ２２により撮像領域内で特定された人物画像があるか否かが判断される。Ｓ２３により特定された人物画像がないと判断された場合は、この撮像領域内人物画像追跡処理が終了し、リターンする。一方、Ｓ２３により特定された人物画像があると判断された場合は、Ｓ２４に進み、特定された人物画像のうち、追跡対象の撮像領域での追跡対象者画像として未設定登録のものがあるか否かが判断される。ここで、追跡対象者画像の設定登録とは、Ｓ２２により特定された人物画像の画像データを、後述するＳ２５で追跡対象者の画像データとして記憶部６１に記憶することにより、追跡対象画像として設定登録することをいう。
【０１１５】
Ｓ２４により未設定登録のものがないと判断された場合は、新たに追跡対象者画像を設定登録する必要がないので、後述するＳ２６に進む。一方、Ｓ２４により未設定登録のものがあると判断された場合は、Ｓ２５に進み、前述のように特定された人物画像のうち、未設定登録の人物画像を新たに追跡対象者画像として設定登録する必要があるので、未設定の人物画像のデータを新たに追跡対象者画像のデータとして、記憶部６１に設けられた追跡者記憶領域に記憶することにより、追跡対象者画像として設定登録する処理が行なわれる。Ｓ２５の後、Ｓ２６に進む。
【０１１６】
Ｓ２６では、設定登録されている追跡対象者画像を追跡するための処理が行なわれる。具体的に、Ｓ２６では、次のような処理を行なうことにより追跡対象者画像を追跡する。Ｓ２５により新規に設定登録された追跡対象者画像については、前述のＳ２２により特定された人物画像の画像データ、追跡対象者画像の重心の位置データ（Ｓ２２により特定された人物画像の特徴点についての３次元座標のデータから追跡対象者画像の重心位置を抽出して撮像領域内での重心位置を特定した情報）、および、追跡時間データ（新規登録時からの追跡時間を計時した情報）を含む追跡対象データを新たに作成して登録する。
【０１１７】
また、すでに設定登録済みの追跡対象者画像については、前回の撮像領域内人物画像追跡処理において当該追跡対象者画像について作成された前記追跡対象者画像データに基づいて近傍探索を行なうことにより、当該追跡対象者画像を追跡する。ここで、近傍探索とは、次のように画像を探索することをいう。まず、Ｓ２２により特定された各人物画像の重心位置を抽出し、その人物画像のうち、前回の処理において作成された各追跡対象データ（１フレーム前のデータ）の重心位置データが示す位置の近傍（人が歩く程度の速度で追跡対象者画像データが移動したときに進むと推定される予め定められた距離の範囲）において、重心位置がある人物画像を探索する。そして、そのような人物画像があったときに、当該人物画像の画像データと当該追跡対象者画像の画像データとを比較し、所定のデータ一致条件が成立したときに、当該人物画像を当該追跡対象者画像として同定する。また、このような人物画像の探索においては、追跡対象者画像について、過去の２フレーム分の画像データに基づいて１フレーム間における重心の移動量を算出し、その算出した移動量に基づいて、次に追跡対象者画像の重心が存在する位置を推定して人物画像を探索してもよい。さらに、そのように同定された人物画像の画像データおよび重心の位置データを、同定された追跡対象者画像の追跡対象データにおいて更新記録することにより、同定された追跡対象者画像の追跡対象データを更新し、次回の追跡対象者画像の追跡のために用いる。このように、すでに設定登録済みの追跡対象者画像については、このような人物画像の探索をしていくことにより、追跡していく。Ｓ２６の後、この撮像領域内人物画像追跡処理が終了し、リターンする。
【０１１８】
次に、滞留監視カメラ制御装置６における制御部６０のＣＰＵにより実行される監視領域内画像特定処理を説明する。この監視領域内画像特定処理は、制御部６０において実行される前述のサブルーチンプログラムのうちの１つである。
【０１１９】
図８は、滞留監視カメラ制御装置６の制御部６０において実行される監視領域内画像特定処理の処理内容を示すフローチャートである。以下に示す監視領域内画像特定処理は、前述のように設定されたすべての監視領域ごとに並列的に実行される。
【０１２０】
まず、Ｓ６１により、特定対象の監視領域について対応する滞留監視カメラ４により撮像された画像から送られてくる当該監視領域の撮像データとしての画像データを取得する処理が行なわれる。そして、Ｓ６２により、特定対象の監視領域内にある追跡対象者画像を把握するために、特定対象の監視領域が含まれる撮像領域を対象として前述のＳ２５，Ｓ２６により作成された追跡対象データを取得する処理が行なわれる。
【０１２１】
そして、Ｓ６３により、Ｓ６２で取得した追跡対象データに基づいて、特定対象の監視領域内で追跡対象者画像があるか否かが判断される。Ｓ６３により追跡対象者画像がないと判断された場合は、後述するＳ６９に進む。一方、Ｓ６３により追跡対象者画像があると判断された場合は、Ｓ６４に進み、Ｓ６３により判定された追跡対象者画像が特定対象の監視領域内での滞留時間としての監視領域内時間を計測する対象となる時間計測対象画像として設定登録済みであるか否かが判断される。
【０１２２】
Ｓ６４により設定済みであると判断された場合は、後述するＳ６６に進む。一方、Ｓ６４により設定済みではないと判断された場合は、Ｓ６５に進み、該当する追跡対象者画像を時間計測対象画像として設定登録する処理が行なわれる。Ｓ６５の後、Ｓ６６に進む。
【０１２３】
Ｓ６６では、設定登録されている時間計測対象画像の監視領域内時間の計測値が更新される。つまり、Ｓ６６は、時間計測対象画像の監視領域内時間を計測するためのステップであり、監視領域内画像特定処理が所定時間周期（たとえば、２ｍｓｅｃ）で実行されるため、Ｓ６６が実行されるごとに監視領域内時間の計測値を所定時間（たとえば、２ｍｓｅｃ）ずつ加算更新するのである。
【０１２４】
次に、Ｓ６７により、設定登録されている時間計測対象画像の監視領域内時間が、特定対象の監視領域について前述のように設定された滞留特定時間（たとえば、３０秒等）以上であるか否かが判断される。Ｓ６７により監視領域内時間が設定された滞留特定時間以上であると判断された場合は、Ｓ６８に進み、記憶部６１における所定の記憶領域に記憶される特定対象監視領域データに、滞留者が存在することを示すデータである滞留者ありデータがセット（記憶）される。Ｓ６８の後、Ｓ７０に進む。一方、Ｓ６７により監視領域内時間が設定された滞留特定時間以上ではないと判断された場合は、Ｓ６９に進み、前述の特定対象監視領域データに、滞留者が存在しないことを示すデータである滞留者なしデータがセット（記憶）される。Ｓ６９の後、Ｓ７０に進む。
【０１２５】
このように、追跡対象者画像が監視領域内で設定された滞留特定時間以上存在しているときには、監視領域において滞留者があると特定され、追跡対象者画像が監視領域内で設定された滞留特定時間以上存在していないときには、監視領域において滞留者がないと特定される。このため、追跡対象者画像が監視領域内で設定された滞留特定時間以上存在しているときに、当該追跡対象者画像に対応する人物が滞留者として特定される。
【０１２６】
Ｓ７０では、特定対象監視領域データに滞留者ありデータがセットされているか否かが判断される。Ｓ７０により滞留者ありデータがセットされていると判断された場合は、Ｓ７１に進み、特定対象の監視領域に対応するパチンコ遊技機１の台番号を指定した滞留者あり情報を集中管理装置９に送信される。ここで、滞留者あり情報とは、特定対象の監視領域に滞留者があることを示す情報である。また、特定対象の監視領域に対応するパチンコ遊技機１の台番号は、前述したＳ６により滞留監視カメラ制御装置６の制御部６０に送信されてきた監視領域設定情報に基づいて特定される。Ｓ７１の後、この監視領域内画像特定処理が終了し、リターンする。
【０１２７】
一方、Ｓ７０により滞留者ありデータがセットされていないと判断された場合は、Ｓ７２に進み、特定対象の監視領域に対応するパチンコ遊技機１の台番号を指定した滞留者なし情報が集中管理装置９に送信される。ここで、滞留者なし情報とは、特定対象の監視領域に滞留者がないことを示す情報である。Ｓ７２の後、この監視領域内画像特定処理が終了し、リターンする。このように集中管理装置９に送信された滞留者あり情報および滞留者なし情報は、受信した集中管理装置９において、対応するパチンコ遊技機１の台番号と対応付けられて、記憶部９７に設けられた滞留者特定情報記憶領域に滞留者特定情報（滞留者ありまたは滞留者なしのいずれかを示す情報）として記憶される。
【０１２８】
次に、集中管理装置９における制御部９０のＣＰＵ９３により実行される稼働有無特定処理を説明する。この稼働有無特定処理は、制御部９０において実行される前述のサブルーチンプログラムのうちの１つである。図９は、集中管理装置９の制御部９０において実行される稼働有無特定処理の処理内容を示すフローチャートである。以下に示す稼働有無特定処理は、各パチンコ遊技機１を対象として、対象とするパチンコ遊技機１ごとに並列的に実行される。
【０１２９】
まず、Ｓ４１により、特定対象のパチンコ遊技機１に対応するアウト球検出情報の入力があったか否かが判断される。Ｓ４１によりアウト球検出情報の入力があったと判断された場合は、Ｓ４２に進み、特定対象のパチンコ遊技機１について設けられたアウト球カウンタを１つずつ加算更新する処理が行なわれる。Ｓ４２の後、Ｓ４３に進む。一方、Ｓ４１によりアウト球検出情報の入力がなかったと判断された場合は、そのままＳ４３に進む。
【０１３０】
Ｓ４３では、所定時間（たとえば、３０秒）ごとに稼働状態を判定するタイミングである稼働判定タイミングになったか否かが判断される。Ｓ４３により稼働判定タイミングになっていないと判断された場合には、この稼働有無特定処理が終了し、リターンする。一方、Ｓ４３により稼働判定タイミングになったと判断された場合には、Ｓ４４に進み、特定対象のパチンコ遊技機１のアウト球カウンタの値が所定数（たとえば１０個）以上であるか否かが判断される。
【０１３１】
Ｓ４４によりアウト球カウンタの値が所定数以上であると判断された場合は、Ｓ４５に進み、記憶部９７における所定の記憶領域に記憶される稼働特定データに、特定対象のパチンコ遊技機１が稼働状態にあることを示すデータである稼働あり特定データがセット（記憶）される。Ｓ４５の後、Ｓ４７に進む。一方、Ｓ４４によりアウト球カウンタの値が所定数以上ではないと判断された場合は、Ｓ４６に進み、前述の稼働特定データに、特定対象のパチンコ遊技機１が稼働状態にないことを示すデータである稼働なし特定データがセット（記憶）される。Ｓ４６の後、Ｓ４７に進む。
【０１３２】
Ｓ４７では、特定対象のパチンコ遊技機１についてのアウト球カウンタを初期化（カウント値を「０」とする）する処理が行なわれる。Ｓ４７の後、この稼働有無特定処理が終了し、リターンする。この稼働有無特定処理においては、３０秒間に１０個以上のアウト球が検出されたパチンコ遊技機１が稼働状態にあると特定され、３０秒間に１０個以上のアウト球が検出されていないパチンコ遊技機１が非稼働状態にあると特定される。
【０１３３】
次に、集中管理装置９における制御部９０のＣＰＵ９３により実行される状態判定処理を説明する。この状態判定処理は、制御部９０において実行される前述のサブルーチンプログラムのうちの１つである。図１０は、集中管理装置９の制御部９０において実行される状態判定処理の処理内容を示すフローチャートである。以下に示す状態判定処理は、各パチンコ遊技機１を対象として、対象とするパチンコ遊技機１ごとに並列的に実行される。
【０１３４】
まず、Ｓ５０により、判定対象のパチンコ遊技機１についての滞留者特定情報および稼働有無特定情報が取得される。滞留者特定情報は、滞留監視カメラ制御装置６から送信されて記憶部９７に記憶された情報（滞留者特定情報）が読出されることにより取得され、稼働有無特定情報は、記憶部９７に記憶された稼働特定データにセットされたデータが読出されることにより取得される。
【０１３５】
次に、Ｓ５１により、Ｓ５０で取得された稼働特定データに基づいて、判定対象のパチンコ遊技機１が稼働状態であるか否かが判断される。Ｓ５１により稼働状態でないと判断された場合は、後述するＳ５５に進む。一方、Ｓ５１により稼働状態であると判断された場合は、Ｓ５２に進み、Ｓ５０で取得された滞留者有無特定情報に基づいて、判定対象のパチンコ遊技機１が滞留者ありの状態であるか否かが判断される。
【０１３６】
Ｓ５２により滞留者ありの状態であると判断された場合は、滞留者があり、かつ、稼働している状態であり、Ｓ５３に進み、記憶部９７における所定の記憶領域に記憶される判定対象のパチンコ遊技機１の状態判定データに、稼働滞留状態であることを示す稼働滞留特定データがセットされる。Ｓ５３の後、この状態判定処理が終了し、リターンする。
【０１３７】
一方、Ｓ５２により滞留者ありの状態ではないと判断された場合は、滞留者がなく、かつ、稼働している状態であり、Ｓ５４に進み、記憶部９７における所定の記憶領域に記憶される判定対象のパチンコ遊技機１の状態判定データに、稼働非滞留状態であることを示す稼働非滞留特定データがセットされる。Ｓ５４の後、この状態判定処理が終了し、リターンする。
【０１３８】
また、前述のＳ５１により稼働状態でないと判断されてＳ５５に進んだ場合は、Ｓ５５により、Ｓ５０で取得された滞留者有無特定情報に基づいて、判定対象のパチンコ遊技機１が滞留者ありの状態であるか否かが判断される。Ｓ５５により滞留者ありの状態であると判断された場合は、滞留者があり、かつ、稼働していない状態であり、Ｓ５６に進み、記憶部９７における所定の記憶領域に記憶される判定対象のパチンコ遊技機１の状態判定データに、非稼働滞留状態であることを示す非稼働滞留特定データがセットされる。Ｓ５６の後、この状態判定処理が終了し、リターンする。
【０１３９】
一方、Ｓ５５により滞留者ありの状態ではないと判断された場合は、滞留者がなく、かつ、稼働していない状態であり、Ｓ５７に進み、記憶部９７における所定の記憶領域に記憶される判定対象のパチンコ遊技機１の状態判定データに、非稼働非滞留状態であることを示す非稼働非滞留特定データがセットされる。Ｓ５７の後、この状態判定処理が終了し、リターンする。
【０１４０】
以上のような状態判定処理によれは、判定対象のパチンコ遊技機１について、滞留者有無情報および稼働有無情報に基づいて、稼働滞留状態、稼働非滞留状態、非稼働滞留状態、および、非稼働非滞留状態のいずれの状態にあるかが判定される。
【０１４１】
次に、集中管理装置９における制御部９０のＣＰＵ９３により実行される状態報知処理を説明する。この状態報知処理は、制御部９０において実行される前述のサブルーチンプログラムのうちの１つである。図１１は、集中管理装置９の制御部９０において実行される状態報知処理の処理内容を示すフローチャートである。以下に示す状態報知処理は、全パチンコ遊技機１を対象として、パチンコ遊技機１ごとに順次実行していく処理であり、集中管理装置９が遊技場１０の営業時間中において、遊技場内を監視しているときに繰返し実行される。
【０１４２】
まず、Ｓ８１により、遊技場１０内の全パチンコ遊技機１を対象として、前述の状態判定データを読出し、稼働滞留状態、稼働非滞留状態、非稼働滞留状態、および、非稼働非滞留状態の４つの状態別に、各状態のパチンコ遊技機１の台数を集計する処理が行なわれる。このＳ８１においては、全パチンコ遊技機１の状態判定データに基づいて、状態別に各状態のパチンコ遊技機１の台数が算出される。
【０１４３】
次に、Ｓ８２により、Ｓ８１で集計された状態別の台数を区別して表示する処理が行なわれる。具体的には、Ｓ８２により、図４に示された第１状態別台数報知画像９６６ａが表示される。次に、Ｓ８３により、後述するような各種の報知を行なう対象としてのパチンコ遊技機１の台番号の初期値（「１」）が取得され
る。これにより、以下に行なう報知に関する処理の対象となるパチンコ遊技機１の台番号が決められる。
【０１４４】
次に、Ｓ８４に進み、報知対象のパチンコ遊技機１の状態判定データとして稼働滞留判定データがセットされているか否かが判断される。Ｓ８４により稼働滞留判定データがセットされていないと判断された場合は、後述するＳ８６に進む。一方、Ｓ８４により稼働滞留判定データがセットされていると判断された場合は、Ｓ８５に進み、図４に示されるような稼働状況表示画像において、該当するパチンコ遊技機１の台番号に対応する遊技機領域９６５０を白色で表示するためのデータを設定する処理が行なわれる。これにより、稼働滞留状態のパチンコ遊技機１については、対応する遊技機領域９６５０において、台番号が表示されるとともに領域の色が白色となる報知が行なわれる。Ｓ８５の後、後述するＳ９６に進む。
【０１４５】
また、前述のＳ８４により稼働滞留判定データがセットされていないと判断されてＳ８６に進んだ場合は、報知対象のパチンコ遊技機１の状態判定データとして非稼働非滞留判定データがセットされているか否かが判断される。Ｓ８６により非稼働非滞留判定データがセットされていないと判断された場合は、後述するＳ８８に進む。一方、Ｓ８６により非稼働非滞留判定データがセットされていると判断された場合は、Ｓ８７に進み、図４に示されるような稼働状況表示画像において、該当するパチンコ遊技機１の台番号に対応する遊技機領域９６５０を青色で表示するためのデータを設定する処理が行なわれる。これにより、非稼働非滞留状態のパチンコ遊技機１については、対応する遊技機領域９６５０において、台番号が表示されるとともに領域の色が青色となる報知が行なわれる。Ｓ８７の後、後述するＳ９６に進む。
【０１４６】
また、前述のＳ８６により非稼働非滞留判定データがセットされていないと判断されてＳ８８に進んだ場合は、報知対象のパチンコ遊技機１の状態判定データとして非稼働滞留判定データがセットされているか否かが判断される。Ｓ８８により非稼働滞留判定データがセットされていないと判断された場合は、後述するＳ９２に進む。一方、Ｓ８８により非稼働滞留判定データがセットされていると判断された場合は、Ｓ８９に進み、図４に示されるような稼働状況表示画像において、該当するパチンコ遊技機１の台番号に対応する遊技機領域９６５０を赤色で表示するためのデータを設定する処理が行なわれる。これにより、非稼働滞留状態のパチンコ遊技機１については、対応する遊技機領域９６５０において、台番号が表示されるとともに領域の色が赤色となる報知が行なわれる。
【０１４７】
次に、Ｓ９０に進み、該当するパチンコ遊技機１が非稼働滞留状態になっていることを報知する警報音をスピーカ９８から出力するためのデータを設定する処理が行なわれる。これにより、非稼働滞留状態が生じた場合には、スピーカ９８から所定の警報音を出力する報知が行なわれる。そして、Ｓ９１に進み、遊技場１０内のインターカム９９０に対して、該当するパチンコ遊技機１が非稼働滞留状態になっていることを通報するためのデータを設定する処理が行なわれる。具体的に、この通報は、何番台が非稼働滞留状態となっているかを明確に特定する音声をインターカム９９０において出力することにより行なわれる。これにより、非稼働滞留状態が生じた場合には、集中管理装置９からインターカム制御装置９９に前述の音声による通報を行なうことを指示する指令信号が送信され、その指令信号に基づいて、インターカム制御装置９９から各インターカム９９０に対して、前述の通報をする報知が行なわれる。
【０１４８】
このような通報をするためのデータは、記憶部９７に設けられ、インターカム通報用のデータをデータが設定された順に記憶するインターカム通報データベースに記憶しておき、記憶した順に順次読出されて、前述の通報のために用いられる。これにより、複数台を対象とした非稼働滞留状態の通報が同時に行なわれないようにすることができる。また、このような通報は、短期間における通報の繰返しを避けるために、一度実行されると、しばらくの間実行されないように制御される。
【０１４９】
次に、Ｓ９１ａに進み、非稼働滞留状態になっているパチンコ遊技機１の台番号に対応して前述の拡大撮像データベースに記憶されているカメラＩＤデータおよび拡大撮像データ（ズーム倍率を示すデータおよび撮像方向を示すデータ）を読出し、そのデータに基づいて、非稼働滞留状態となっているパチンコ遊技機１に対応して設定されている拡大撮像を対応する拡大監視カメラ５で実行するためのデータを設定する処理が行なわれる。このように設定されたデータに基づいて、設定された拡大撮像を対応する拡大監視カメラ５によって撮像させるための制御信号が集中管理装置９から滞留監視カメラ制御装置６に与えられ、その制御信号に基づいて滞留監視カメラ制御装置６が該当する拡大監視カメラ５の動作制御を行なうことにより、非稼働滞留状態になっているパチンコ遊技機１の近傍が拡大監視カメラ５により拡大撮像されて滞留者が容易に特定可能となる。Ｓ９１ａの後、後述するＳ９６に進む。
【０１５０】
このような拡大撮像を１台の拡大監視カメラ５で短時間に複数のパチンコ遊技機を対象として実行しなければならない場合には、拡大撮像対象を順次切換えて複数の拡大撮像対象を撮像して、その画像データを記憶部９７に設けられた拡大撮像画像データベースに順次記憶していき、すべての拡大撮像対象の撮像が終了した後に、記憶した画像データに基づいて、必要に応じて表示部９６に撮像した拡大撮像画像を表示する処理が行なわれる。
【０１５１】
また、前述のＳ８８により非稼働滞留判定データがセットされていないと判断されてＳ９２に進んだ場合は、報知対象のパチンコ遊技機１の状態判定データとして稼働非滞留判定データがセットされているか否かが判断される。Ｓ９２により稼働非滞留判定データがセットされていないと判断された場合は、後述するＳ９６に進む。一方、Ｓ９２により稼働非滞留判定データがセットされていると判断された場合は、Ｓ９３に進み、図４に示されるような稼働状況表示画像において、該当するパチンコ遊技機１の台番号に対応する遊技機領域９６５０を黄色で表示するためのデータを設定する処理が行なわれる。これにより、稼働非滞留状態のパチンコ遊技機１については、対応する遊技機領域９６５０において、台番号が表示されるとともに領域の色が黄色となる報知が行なわれる。
【０１５２】
次に、Ｓ９４に進み、該当するパチンコ遊技機１が稼働非滞留状態になっていることを報知する警報音をスピーカ９８から出力するためのデータを設定する処理が行なわれる。これにより、稼働非滞留状態が生じた場合には、スピーカ９８から所定の警報音を出力する報知が行なわれる。そして、Ｓ９５に進み、遊技場１０内のインターカム９９０に対して、該当するパチンコ遊技機１が稼働非滞留状態になっていることを通報するためのデータを設定する処理が行なわれる。これにより、稼働非滞留状態が生じた場合には、集中管理装置９からインターカム制御装置９９に前述の通報を行なうことを指示する指令信号が送信され、その指令信号に基づいて、インターカム制御装置９９から各インターカム９９０に対して、前述の通報をする報知が行なわれる。Ｓ９５の後、Ｓ９６に進む。
【０１５３】
次に、Ｓ９６では、Ｓ８３により台番号の初期値が設定されて全パチンコ遊技機１について順次実行される予定のＳ８４〜Ｓ９５の処理がすべてのパチンコ遊技機について実行されて終了したか否かが判断される。具体的に、Ｓ９６では、Ｓ８４〜Ｓ９５が１回実行されるごとに１番台から１ずつ加算更新されていく台番号が予め定められた最終の台番号になったか否かが判断される。
【０１５４】
Ｓ９６によりすべてのパチンコ遊技機について処理が終了していないと判断された場合は、Ｓ９７に進み、現在の処理で報知対象としている台番号を１だけ加算更新する処理が行なわれる。これにより、Ｓ８４〜Ｓ９５の処理が１回実行されるごとに次の台番号のパチンコ遊技機１が報知対象となっていき、結果的に、１番台から最終番台までのすべてのパチンコ遊技機１が順次対象とされる。Ｓ９７の後、Ｓ９７により更新された台番号のパチンコ遊技機１を対象としてＳ８４〜Ｓ９５の処理が行なわれることとなる。
【０１５５】
一方、Ｓ９６によりすべてのパチンコ遊技機について処理が終了したと判断された場合は、Ｓ９８に進み、Ｓ８５、Ｓ８７、Ｓ８９、Ｓ９０、Ｓ９１、Ｓ９３、Ｓ９４、または、Ｓ９５でデータが設定された報知およびＳ９１ａでデータが設定された拡大撮像を実行するための処理が行なわれる。Ｓ９８の後、この状態判定処理が終了し、リターンする。
【０１５６】
以上のような状態報知処理によれば、各パチンコ遊技機１の状態が稼働滞留状態、非稼働滞留状態、非稼働非滞留状態、および、稼働非滞留状態の４つの状態に区別されて報知されるので、各パチンコ遊技機１がどのような状態にあるかを管理者が容易に把握することができる。
【０１５７】
さらに、非稼働滞留状態が生じたときには、警報音の出力、インターカム９９０への通報、および、該当パチンコ遊技機１の近傍の拡大撮像が行なわれるので、遊技場側による非稼働滞留状態への対処が容易となる。また、稼働非滞留状態が生じたときには、警報音の出力およびインターカム９９０への通報が行なわれるので、遊技場側による稼働非滞留状態への対処が容易となる。また、パチンコ遊技機１の状態別に台数が集計されて表示されるので、遊技場１０内における多数のパチンコ遊技機１を対象として状況の把握が容易となる。
【０１５８】
次に、この実施の形態により得られる主な効果をまとめて説明する。
【０１５９】
図１０のＳ５１，Ｓ５５，Ｓ５６に示されるように、稼働情報に基づく各パチンコ遊技機１における稼働の有無、および、パチンコ遊技機１ごとに個別に設定された監視領域の画像の変化により特定される滞留者の有無に基づいて、非稼働滞留状態のパチンコ遊技機１があるか否かが判定される。そして、非稼働滞留状態のパチンコ遊技機１があると判定されたときには、図１１のＳ８８〜Ｓ９１，Ｓ９８に示されるように、当該判定がされたパチンコ遊技機がある旨が報知される。このため、滞留者がいるにも関わらず稼働状態になっていない非稼働滞留状態のパチンコ遊技機１の存在を係員が直接見に行かなくても把握することができるので、パチンコ遊技機１の稼働状況の管理に関する遊技場１０の管理負担を軽減することができる。さらに、非稼働滞留状態の遊技機１０の存在を係員が直接見に行かなくても把握することができることにより、当該状態の遊技機１０に対処する措置を迅速にとることができる等、パチンコ遊技機１の稼働率低下の原因となる行為に対して迅速な対応ができる。
【０１６０】
また、図１１のＳ８８、Ｓ９１ａ、Ｓ９８に示されるように、非稼働滞留状態のパチンコ遊技機１があると判定されたときに、当該パチンコ遊技機１に対応する監視領域が拡大して撮像されるので、非稼働滞留状態に関与した滞留者を確認しやすくなるようにすることができる。
【０１６１】
また、図１０のＳ５１、Ｓ５２、Ｓ５３、Ｓ５５、Ｓ５７に示されるように、非稼働非滞留状態または稼働滞留状態の遊技機があるか否かが判定され、図１１のＳ８４〜Ｓ８７、Ｓ９８に示されるように、当該判定がされた状態のパチンコ遊技機１がある旨が報知されるので、パチンコ遊技機１における稼働状態と滞留者との関係をより明確に把握することができる。
【０１６２】
また、図１０のＳ５１、Ｓ５２、Ｓ５４に示されるように、稼働非滞留状態のパチンコ遊技機１があるか否かが判定され、図１１のＳ９２〜Ｓ９５、Ｓ９８に示されるように、当該判定がされた状態のパチンコ遊技機１がある旨が報知されるので、滞留者がいないにも関わらず稼働状態になっている異常な状態、すなわち、稼働非滞留状態のパチンコ遊技機１の存在を係員が直接見に行かなくても把握することができるので、パチンコ遊技機１の稼働状況の管理に関する遊技場の管理負担をより一層軽減することができる。
【０１６３】
また、図４に示されるように、状態判定処理により判定された状態の報知をするときに、遊技場１０内でのパチンコ遊技機１の配列において、状態が判定されたパチンコ遊技機１の配置位置を特定した画像が表示されるので、報知対象のパチンコ遊技機１の位置確認を容易化することができ、当該状態の遊技機に対処する措置をさらに迅速にとることができる。
【０１６４】
また、図４の第１状態別台数報知画像９６６ａに示されるように、パチンコ遊技機１の状態が報知されるときに、状態ごとに区分して該当するパチンコ遊技機１の数が報知されるので、各状態の遊技機数の確認を容易化することができる。
【０１６５】
また、図４の表示画面図および図１０のＳ８５，Ｓ８７，Ｓ８９，Ｓ９１，Ｓ９３，Ｓ９５，Ｓ９８に示されるように、非稼働滞留状態等の判定がされたパチンコ遊技機がある旨を報知するときに、さらに、特定されたパチンコ遊技機の台番号が報知されるので、判定がされた状態のパチンコ遊技機に対処する措置をより一層迅速にとることができる。たとえば、非稼働滞留状態のパチンコ遊技機および稼働非滞留状態のパチンコ遊技機については当該パチンコ遊技機に関係する者に注意を告げる措置を迅速にとることができ、非稼働非滞留状態のパチンコ遊技機については遊技場内で当該非稼働状態のパチンコ遊技機での遊技を勧めるための呼びかけをする措置を迅速にとることができる。
【０１６６】
次に、以上に説明した本実施の形態の変形例や特徴点を以下に列挙する。
【０１６７】
（１）  前述した実施の形態においては、パチンコ遊技機１として、第１種のパチンコ遊技機を示したが、これに限らず、パチンコ遊技機としては、第２種のパチンコ遊技機および第３種のパチンコ遊技機のようなその他の種類のパチンコ遊技機を用いてもよい。
【０１６８】
（２）  前述した実施の形態においては、滞留監視カメラ４として撮像により３次元画像データを得るカメラを用いる例を説明したが、これに限らず、滞留監視カメラ４としては、撮像により２次元画像データを得るカメラを用いてもよい。
【０１６９】
（３）  前述した実施の形態においては、図７に示される撮像領域内人物画像追跡処理および図８に示される監視領域内画像特定処理を滞留監視カメラ制御装置６の制御部６０において実行する例を示した。しかし、これに限らず、撮像領域内人物画像追跡処理および監視領域内画像特定処理については、集中管理装置９の制御部６０において実行するようにしてもよい。
【０１７０】
（４）  前述した実施の形態においては、図７に示される撮像領域内人物画像追跡処理および図８に示される監視領域内画像特定処理を監視領域ごとに並列的に実行する例を示した。しかし、これに限らず、これらの処理は、遊技場内の全監視領域について１領域ずつまたは複数台数（たとえば、遊技機設置島ごと）ずつ順次実行するようにしてもよい。
【０１７１】
（５）  前述した実施の形態においては、図９に示される稼働有無特定処理および図１０に示される状態判定処理をパチンコ遊技機１ごとに並列的に実行する例を示した。しかし、これに限らず、これらの処理は、遊技場内の全パチンコ遊技機について１台ずつまたは複数台数（たとえば、遊技機設置島ごと）ずつ順次実行するようにしてもよい。
【０１７２】
（６）  前述した実施の形態においては、図１１に示される状態報知処理を遊技場内の全パチンコ遊技機について１台ずつ実行していく例を示した。しかし、これに限らず、これらの処理は、１台のパチンコ遊技機１ごとに並列的に実行してもよく、複数台数（たとえば、遊技機設置島ごと）ずつ順次実行するようにしてもよい。
【０１７３】
（７）  前述した実施の形態においては、図１０に示される状態判定処理における、稼働滞留状態、非稼働滞留状態、非稼働非滞留状態、および、稼働非滞留状態の４つの状態の判定条件として、滞留者有無情報と稼働有無情報との組合せの条件が成立したときに即座に該当する状態であると判定する例を示した。しかし、これに限らず、各状態の判定条件として、滞留者有無情報と稼働有無情報との組合せの条件が成立した状態が所定期間（たとえば、３０秒等）継続したことを加えてもよい。
【０１７４】
（８）  前述した実施の形態における人物の特定方法としては、背景差分法を用いる例を示した。しかし、これに限らず、人物の特定方法としては、次のような特定方法を採用してもよい。人物の特定方法としては、画像データが複数フレーム記憶される場合において、新たに撮像された画像データと、その１フレーム前の画像データとの間で画像データの比較を行ない、画像データの色の違いおよび濃度の違い等の差異（変化）があるときに、当該差異がある部分の画像を人物画像として特定する差分法を用いるようにしてもよい。また、人物の特定方法としては、前述の差分法と背景差分法とを組合せて用いてもよい。たとえば、画像データが複数フレーム記憶される場合において、まず、前述の差分法を用いて画像データの差異（変化）に基づいて第１段階目の人物画像を特定する処理を行なう。この第１段階目の人物画像の特定では、フレーム間で画像データの差異（変化）があったときに、ある人物から入れ替わった別の人物が撮像されたことにより画像データに差異が生じたのか、ある人物がいなくなって背景が撮像されたことにより画像データに差異が生じたのかどちらであるかまでは特定しにくい。このため、第１段階面の差分法による特定の後に、第２段階の人物特定処理として、前述した実施の形態で示したような背景差分法を用いてフレーム間の画像データの差異（変化）に基づいて第２段階目の人物画像を特定する処理を行なう。このように新たに撮像された画像と予め記憶した背景画像とを比較する背景差分法を第２段階目の処理として実行すれば、フレーム間で画像データの差異（変化）があった画像の部分が、ある人物から入れ替わった別の人物が撮像されたことにより画像データに差異が生じたのか、ある人物がいなくなって背景が撮像されたことにより画像データに差異が生じたのかどちらであるを特定することができる。
【０１７５】
（９）  また、前述した実施の形態においては、個人情報保護の観点から次のような技術を採用してもよい。遊技場１０の会員に対して発行される遊技カードである会員カード（貯玉が可能なカード）の新規発行時に、会員個人情報に加えて会員の顔画像等の個人特定用画像を集中管理装置９の記憶部９７に登録（記憶）しておく。そして、集中管理装置９は、非稼働滞留状態の発生に応じて拡大撮像カメラ５により滞留者の拡大画像が撮像されたら、その画像データから滞留者個人の特徴点を抽出して、登録された各会員の個人特定画像の特徴点とを比較して、滞留者が誰であるかを特定する処理を行なう。このようにすれば、滞留者を容易に特定することができる。
【０１７６】
（１０）  また、（９）のように滞留者を特定する技術を採用する場合には、次のように、遊技場１０で撮像された滞留者の画像と個人情報との関係が遊技場１０側で簡単に把握できないようにしてもよい。たとえば、会員カードの登録時に届出る前記個人特定情報として、匿名を登録し、当該匿名と正規の個人特定情報をペアで信頼性がある第３者機関（会員カード発行会社等）に登録しておく。この場合に、遊技場が会員の正規の個人特定情報を知ることができるのは、非稼働滞留状態での滞留者の拡大画像が撮像されて不正行為が発覚したとき等の特別の条件が成立したときのみとする。その特別条件成立時には、遊技場から第３者機関に、登録されている匿名を示す情報をオンラインで送り、第３者機関がその匿名に対応する個人特定情報を割出してその個人特定情報を遊技場に返答するようにする。
【０１７７】
この場合には、遊技場において会員カードの登録時に届出る匿名が第３者機関に正規に登録されている匿名であることの証明が必要となる。そこで、会員カードの新規登録に先立って遊技者が第３者機関に匿名と正規の個人特定情報を登録しておき、それに基づいて第３者機関から正規に登録された匿名であることを証明する電子証明書を発行してもらい、その電子証明書のデータを会員が所有するカードあるいは携帯電話等に記録しておく。その上で、遊技場における会員カード登録時の匿名の届出に際し、その電子証明書を提示して正規に登録された匿名であることが立証できるようにする。
【０１７８】
そして、このような場合には、会員カードの新規登録時に会員の正規の住所を届出たのであれば、いくら匿名を届出たとしても、その住所から会員の本名が割出されるおそれがある。一方、住所を遊技場に届出ないとすれば遊技場から送られてくる会員向けのダイレクトメール等を遊技者に郵送することができなくなるという不利益が生じる。そこで、会員は、最寄りのコンビニエンスストア等に匿名を届出ておき、そのコンビニの住所を会員の住所（以下、匿名住所という）の代わりに使用し、遊技場にはその匿名住所を届出る。その結果、遊技場からの会員向けのダイレクトメール等は、そのコンビニに郵送される。会員は、そのコンビニに出向いて電子証明書を提示し、匿名者本人であることを立証した上で、送られてきているダイレクトメール等を受け取る。
【０１７９】
このようにすれば、遊技者の撮像データと会員カード登録時の住所氏名等の個人特定情報とをリンクさせてワンペアの情報として闇ルートで流通販売されるのを防ぐことができる等、個人情報を保護することができる。
【０１８０】
（１１）  前述した実施の形態においては、図９の稼働有無特定処理においてパチンコ遊技機１が稼働状態にあるか否かを特定するために用いる稼働情報として、アウト球検出情報を一例として説明した。しかし、これに限らず、稼働有無特定処理においてパチンコ遊技機１が稼働状態にあるか否かを特定するために用いる稼働情報としては、前述の始動情報または発射情報であってもよい。また、そのような稼働情報としては、遊技機設置島１００に設けられ、各パチンコ遊技機１に補給される補給球（各パチンコ遊技機１が稼働状態のときに払出球として用いるために各パチンコ遊技機１に補給される球）を検出する補給球検出器から台端末装置２および島端末装置３を介して出力される補給球検出情報を用いてもよい。つまり、稼働有無特定処理においてパチンコ遊技機１が稼働状態にあるか否かを特定するために用いる稼働情報としては、各遊技機における稼働の有無を特定可能な情報であればどのような情報であってもよく、各パチンコ遊技機１から出力される情報と、遊技機設置島１００から出力される情報とのどちらであってもよい。
【０１８１】
（１２）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０１８２】
【図１】遊技場管理システムが設けられる遊技場における各種装置の配置状態を示す平面図である。
【図２】遊技場に設けられた遊技場管理システムの構成を示すブロック図である。
【図３】監視領域設定処理における監視領域設定情報の設定方法を示す表示部での表示画面図である。
【図４】集中管理装置の表示部に表示される稼働状況表示画像を示す表示画面図である。
【図５】集中管理装置の制御部において実行される監視領域設定処理の処理内容を示すフローチャートである。
【図６】集中管理装置の制御部において実行される拡大撮像情報設定処理の処理内容を示すフローチャートである。
【図７】滞留監視カメラ制御装置の制御部において実行される撮像領域内人物画像追跡処理の処理内容を示すフローチャートである。
【図８】滞留監視カメラ制御装置の制御部において実行される監視領域内画像特定処理の処理内容を示すフローチャートである。
【図９】集中管理装置の制御部において実行される稼働有無特定処理の処理内容を示すフローチャートである。
【図１０】集中管理装置の制御部において実行される状態判定処理の処理内容を示すフローチャートである。
【図１１】集中管理装置の制御部において実行される状態報知処理の処理内容を示すフローチャートである。
【符号の説明】
【０１８３】
１  パチンコ遊技機、１０  遊技場、９  集中管理装置、４  滞留監視カメラ、９  集中管理装置、９０  制御部、９４  入出力インタフェース、６  滞留監視カメラ制御装置、６０  制御部、９６  表示部、９８  スピーカ、９９  インターカム制御装置、９９０  インターカム、５  拡大監視カメラ、９５  入力部。
【図１】
2005224363.tif 000003
【図２】
2005224363.tif 000004
【図３】
2005224363.tif 000005
【図４】
2005224363.tif 000006
【図５】
2005224363.tif 000007
【図６】
2005224363.tif 000008
【図７】
2005224363.tif 000009
【図８】
2005224363.tif 000010
【図９】
2005224363.tif 000011
【図１０】
2005224363.tif 000012
【図１１】
2005224363.tif 000013